(57)【特許請求の範囲】
【請求項１】
複数のダウンリンクキャリアのためにアップリンクフィードバックを送信する方法であって、
多数のダウンリンクキャリアを受信することと、前記多数のダウンリンクキャリアの各々は、前記多数のダウンリンクキャリアの他のキャリアと異なる周波数レンジを含み、
前記多数のダウンリンクキャリアのためのフィードバックのために割り当てられたアップリンクキャリアを決定することと、
前記多数のダウンリンクキャリアの少なくとも１つのための第１のフィードバックと前記多数のダウンリンクキャリアのうちの異なる１つのための第２のフィードバックとの間でコリジョンが生じる場合、前記多数のダウンリンクキャリアのうちのどのキャリアが先行しているかを決定することと
前記決定されたキャリア先行に基づいて、前記アップリンクキャリア上で前記第１のフィードバックまたは第２のフィードバックを報告することと、
を備える方法。
【請求項２】
複数のダウンリンクキャリアのためにアップリンクフィードバックを送信する方法であって、
多数のダウンリンクキャリアを受信することと、
前記多数のダウンリンクキャリアのうちの少なくとも１つのためのフィードバックのために割り当てられたアップリンクキャリアを決定することと、
前記アップリンクキャリア上でフィードバックを送信することと、
第１の周期性を備えるダウンリンクキャリア全体にわたった広帯域フィードバック、第２の周期性を備える各々のダウンリンクキャリアのための広帯域フィードバック、及び第３の周期性を備える各々のダウンリンクキャリアのサブ帯域のためのサブ帯域フィードバックを報告することと、
ランクインジケータ（ＲＩ）と広帯域チャネル品質インジケータ／プリコーディングマトリックスインジケータ（ＣＱＩ／ＰＭＩ）及びサブ帯域ＣＱＩ報告の両方とを周期‘Ｐ’を伴うＣＱＩ報告インスタンスの周期的なセットを超えて構成することと
を備え、
キャリア全体にわたった広帯域ＣＱＩ／ＰＭＩレポートは、周期Ｈ＊Ｐを有し、｛０，Ｈ，２Ｈ，…｝によってインデックスをつけられた報告インスタンスのセット上で報告され、整数Ｊが帯域幅セグメントの数であり、整数Ｃがダウンリンクキャリアの数である場合、整数‘Ｈ’は、Ｈ＝Ｃ＊（Ｊ＊Ｋ＋１）＋１として定義され、
キャリア毎の広帯域ＣＱＩ／ＰＭＩレポートは、周期Ｈ＊Ｐを有し、Ｃｉが値｛１，…，Ｃ｝をとるキャリアインデックスである場合、｛Ｈ−Ｃｉ，２Ｈ−Ｃｉ，…｝によってインデックスをつけられた報告インスタンスの前記セット上で報告され、
ＤＬキャリアレポート全体にわたった２つの連続する広帯域ＣＱＩ／ＰＭＩ毎の間に、前記残存するＣ＊Ｊ＊Ｋ報告インスタンスは、帯域幅部分のＫの全周期上のサブ帯域ＣＱＩレポート及びキャリア毎の１つの広帯域ＣＱＩ／ＰＭＩレポートのための順序で使用される、
方法。
【請求項３】
整数Ｊは、ｉが値｛１，…，Ｃ｝をとる、それぞれＪ＝ｍｉｎ｛Ｊｉ｝またはＪ＝ｍａｘ｛Ｊｉ｝のようなキャリア帯域幅に依存する各々のＤＬキャリアのための帯域幅部分の最小値または最大値として決定される、請求項２に記載の方法。
【請求項４】
複数のダウンリンクキャリアのためにアップリンクフィードバックを送信するためのコンピュータ読み取り可能記憶媒体であって、
コンピュータに多数のダウンリンクキャリアを受信させるための命令の第１のセットと、
前記コンピュータに前記多数のダウンリンクキャリアのうちの少なくとも１つのためのフィードバックのために割り当てられたアップリンクキャリアを決定させるための命令の第２のセットと、
前記コンピュータに前記アップリンクキャリア上でフィードバックを送信させるための命令の第３のセットと、
前記コンピュータに、第１の周期性を備えるダウンリンクキャリア全体にわたった広帯域フィードバック、第２の周期性を備える各々のダウンリンクキャリアのための広帯域フォードバック、及び第３の周期性を備える各々のダウンリンクキャリアのサブ帯域のためのサブ帯域フィードバックを報告させるための命令の第４のセットと、
前記コンピュータにランクインジケータ（ＲＩ）と広帯域チャネル品質インジケータ／プリコーディングマトリックスインジケータ（ＣＱＩ／ＰＭＩ）及びサブ帯域ＣＱＩ報告の両方とを周期‘Ｐ’を伴うＣＱＩ報告インスタンスの周期的なセットを超えて構成させるための命令の第５のセットと
を備える構成要素を少なくとも１つのプロセッサによって実行されるときに実現するコンピュータ実行可能命令を記憶し、
キャリア全体にわたった広帯域ＣＱＩ／ＰＭＩレポートは、周期Ｈ＊Ｐを有し、｛０，Ｈ，２Ｈ，…｝によってインデックスをつけられた報告インスタンスのセット上で報告され、整数Ｊが帯域幅セグメントの数であり、整数Ｃがダウンリンクキャリアの数である場合、整数‘Ｈ’は、Ｈ＝Ｃ＊（Ｊ＊Ｋ＋１）＋１として定義され、
キャリア毎の広帯域ＣＱＩ／ＰＭＩレポートは、周期Ｈ＊Ｐを有し、Ｃｉが値｛１，…，Ｃ｝をとるキャリアインデックスである場合、｛Ｈ−Ｃｉ，２Ｈ−Ｃｉ，…｝によってインデックスをつけられた報告インスタンスの前記セット上で報告され、
ＤＬキャリアレポート全体にわたった２つの連続する広帯域ＣＱＩ／ＰＭＩ毎の間に、前記残存するＣ＊Ｊ＊Ｋ報告インスタンスは、帯域幅部分のＫの全周期上のサブ帯域ＣＱＩレポート及びキャリア毎の１つの広帯域ＣＱＩ／ＰＭＩレポートのための順序で使用される、
コンピュータ読み取り可能記憶媒体。
【請求項５】
複数のダウンリンクキャリアのためにアップリンクフィードバックを送信する装置であって、
多数のダウンリンクキャリアを受信する手段と、
前記多数のダウンリンクキャリアのうちの少なくとも１つのためのフィードバックのために割り当てられたアップリンクキャリアを決定する手段と、
前記アップリンクキャリア上でフィードバックを送信する手段と、
第１の周期性を備えるダウンリンクキャリア全体にわたった広帯域フィードバック、第２の周期性を備える各々のダウンリンクキャリアのための広帯域フィードバック、及び第３の周期性を備える各々のダウンリンクキャリアのサブ帯域のためのサブ帯域フィードバックを報告する手段と、
ランクインジケータ（ＲＩ）と広帯域チャネル品質インジケータ／プリコーディングマトリックスインジケータ（ＣＱＩ／ＰＭＩ）及びサブ帯域ＣＱＩ報告の両方とを周期‘Ｐ’を伴うＣＱＩ報告インスタンスの周期的なセットを超えて構成する手段と
を備え、
キャリア全体にわたった広帯域ＣＱＩ／ＰＭＩレポートは、周期Ｈ＊Ｐを有し、｛０，Ｈ，２Ｈ，…｝によってインデックスをつけられた報告インスタンスのセット上で報告され、整数Ｊが帯域幅セグメントの数であり、整数Ｃがダウンリンクキャリアの数である場合、整数‘Ｈ’は、Ｈ＝Ｃ＊（Ｊ＊Ｋ＋１）＋１として定義され、
キャリア毎の広帯域ＣＱＩ／ＰＭＩレポートは、周期Ｈ＊Ｐを有し、Ｃｉが値｛１，…，Ｃ｝をとるキャリアインデックスである場合、｛Ｈ−Ｃｉ，２Ｈ−Ｃｉ，…｝によってインデックスをつけられた報告インスタンスの前記セット上で報告され、
ＤＬキャリアレポート全体にわたった２つの連続する広帯域ＣＱＩ／ＰＭＩ毎の間に、前記残存するＣ＊Ｊ＊Ｋ報告インスタンスは、帯域幅部分のＫの全周期上のサブ帯域ＣＱＩレポート及びキャリア毎の１つの広帯域ＣＱＩ／ＰＭＩレポートのための順序で使用される、
装置。
【請求項６】
複数のダウンリンクキャリアのためにアップリンクフィードバックを送信する装置であって、
多数のダウンリンクキャリアを受信する受信機と、
前記多数のダウンリンクキャリアのうちの少なくとも１つのためのフィードバックのために割り当てられたアップリンクキャリアを決定し、更に、ランクインジケータ（ＲＩ）と広帯域チャネル品質インジケータ／プリコーディングマトリックスインジケータ（ＣＱＩ／ＰＭＩ）及びサブ帯域ＣＱＩ報告の両方とを周期‘Ｐ’を伴うＣＱＩ報告インスタンスの周期的なセットを超えて構成するコンピューティングプラットフォームと
前記アップリンクキャリア上でフィードバックを送信し、第１の周期性を備えるダウンリンクキャリア全体にわたった広帯域フィードバック、第２の周期性を備える各々のダウンリンクキャリアのための広帯域フィードバック、及び第３の周期性を備える各々のダウンリンクキャリアのサブ帯域のためのサブ帯域フィードバックを報告するための送信機と
を備え、
キャリア全体にわたった広帯域ＣＱＩ／ＰＭＩレポートは、周期Ｈ＊Ｐを有し、｛０，Ｈ，２Ｈ，…｝によってインデックスをつけられた報告インスタンスのセット上で報告され、整数Ｊが帯域幅セグメントの数であり、整数Ｃがダウンリンクキャリアの数である場合、整数‘Ｈ’は、Ｈ＝Ｃ＊（Ｊ＊Ｋ＋１）＋１として定義され、
キャリア毎の広帯域ＣＱＩ／ＰＭＩレポートは、周期Ｈ＊Ｐを有し、Ｃｉが値｛１，…，Ｃ｝をとるキャリアインデックスである場合、｛Ｈ−Ｃｉ，２Ｈ−Ｃｉ，…｝によってインデックスをつけられた報告インスタンスの前記セット上で報告され、
ＤＬキャリアレポート全体にわたった２つの連続する広帯域ＣＱＩ／ＰＭＩ毎の間に、前記残存するＣ＊Ｊ＊Ｋ報告インスタンスは、帯域幅部分のＫの全周期上のサブ帯域ＣＱＩレポート及びキャリア毎の１つの広帯域ＣＱＩ／ＰＭＩレポートのための順序で使用される、
装置。
【請求項７】
整数Ｊは、ｉが値｛１，…，Ｃ｝をとる、それぞれＪ＝ｍｉｎ｛Ｊｉ｝またはＪ＝ｍａｘ｛Ｊｉ｝のようなキャリア帯域幅に依存する各々のＤＬキャリアのための帯域幅部分の最小値または最大値として決定される、請求項６に記載の装置。
【請求項８】
複数のダウンリンクキャリアのためにアップリンクフィードバックを受信する方法であって、
多数のダウンリンクキャリアを送信することと、
前記多数のダウンリンクキャリアのうちの少なくとも１つのためのフィードバックのために割り当てられたアップリンクキャリアを確立することと、
前記アップリンクキャリア上でフィードバックを受信することと、
第１の周期性を備えるダウンリンクキャリア全体にわたった広帯域フィードバック、第２の周期性を備える各々のダウンリンクキャリアのための広帯域フィードバック、及び第３の周期性を備える各々のダウンリンクキャリアのサブ帯域のためのサブ帯域フィードバックの報告を受信することと、
ランクインジケータ（ＲＩ）と広帯域チャネル品質インジケータ／プリコーディングマトリックスインジケータ（ＣＱＩ／ＰＭＩ）及びサブ帯域ＣＱＩ報告の両方とを周期‘Ｐ’を伴うＣＱＩ報告インスタンスの周期的なセットを超えて構成することと
を備え、
キャリア全体にわたった広帯域ＣＱＩ／ＰＭＩレポートは、周期Ｈ＊Ｐを有し、｛０，Ｈ，２Ｈ，…｝によってインデックスをつけられた報告インスタンスのセット上で報告され、整数Ｊが帯域幅セグメントの数であり、整数Ｃがダウンリンクキャリアの数である場合、整数‘Ｈ’は、Ｈ＝Ｃ＊（Ｊ＊Ｋ＋１）＋１として定義され、
キャリア毎の広帯域ＣＱＩ／ＰＭＩレポートは、周期Ｈ＊Ｐを有し、Ｃｉが値｛１，…，Ｃ｝をとるキャリアインデックスである場合、｛Ｈ−Ｃｉ，２Ｈ−Ｃｉ，…｝によってインデックスをつけられた報告インスタンスの前記セット上で報告され、
ＤＬキャリアレポート全体にわたった２つの連続する広帯域ＣＱＩ／ＰＭＩ毎の間に、前記残存するＣ＊Ｊ＊Ｋ報告インスタンスは、帯域幅部分のＫの全周期上のサブ帯域ＣＱＩレポート及びキャリア毎の１つの広帯域ＣＱＩ／ＰＭＩレポートのための順序で使用される、
方法。
【請求項９】
整数Ｊは、ｉが値｛１，…，Ｃ｝をとる、Ｊ＝ｍａｘ｛Ｊｉ｝のようなキャリア帯域幅に依存する各々のＤＬキャリアのための帯域幅部分の最大値として決定される、請求項８に記載の方法。
【請求項１０】
複数のダウンリンクキャリアのためにアップリンクフィードバックを受信する装置であって、
多数のダウンリンクキャリアを送信する送信機と、
前記多数のダウンリンクキャリアのうちの少なくとも１つのためのフィードバックのために割り当てられたアップリンクキャリアを確立し、ランクインジケータ（ＲＩ）と広帯域チャネル品質インジケータ／プリコーディングマトリックスインジケータ（ＣＱＩ／ＰＭＩ）及びサブ帯域ＣＱＩ報告の両方とを周期‘Ｐ’を伴うＣＱＩ報告インスタンスの周期的なセットを超えて構成するコンピューティングプラットフォームと、
前記アップリンクキャリア上でフィードバックを受信し、第１の周期性を備えるダウンリンクキャリア全体にわたった広帯域フィードバック、第２の周期性を備える各々のダウンリンクキャリアのための広帯域フィードバック、及び第３の周期性を備える各々のダウンリンクキャリアのサブ帯域のためのサブ帯域フィードバックの報告を受信する受信機と
を備え、
キャリア全体にわたった広帯域ＣＱＩ／ＰＭＩレポートは、周期Ｈ＊Ｐを有し、｛０，Ｈ，２Ｈ，…｝によってインデックスをつけられた報告インスタンスのセット上で報告され、整数Ｊが帯域幅セグメントの数であり、整数Ｃがダウンリンクキャリアの数である場合、整数‘Ｈ’は、Ｈ＝Ｃ＊（Ｊ＊Ｋ＋１）＋１として定義され、
キャリア毎の広帯域ＣＱＩ／ＰＭＩレポートは、周期Ｈ＊Ｐを有し、Ｃｉが値｛１，…，Ｃ｝をとるキャリアインデックスである場合、｛Ｈ−Ｃｉ，２Ｈ−Ｃｉ，…｝によってインデックスをつけられた報告インスタンスの前記セット上で報告され、
ＤＬキャリアレポート全体にわたった２つの連続する広帯域ＣＱＩ／ＰＭＩ毎の間に、前記残存するＣ＊Ｊ＊Ｋ報告インスタンスは、帯域幅部分のＫの全周期上のサブ帯域ＣＱＩレポート及びキャリア毎の１つの広帯域ＣＱＩ／ＰＭＩレポートのための順序で使用される、
装置。
【請求項１１】
整数Ｊは、ｉが値｛１，…，Ｃ｝をとる、Ｊ＝ｍａｘ｛Ｊｉ｝のようなキャリア帯域幅に依存する各々のＤＬキャリアのための帯域幅部分の最大値として決定される、請求項１０に記載の装置。
【請求項１２】
前記多数のダウンリンクキャリアのうちの前記異なる１つのための前記第２のフィードバックが前記多数のダウンリンクキャリアのうちの前記少なくとも１つのための前記第１のフィードバックとして同一サブフレーム上で送信されるように構成されるとき、前記コリジョンが生じる、請求項１に記載の方法。
【請求項１３】
ランクインジケータ（ＲＩ）を含むフィードバックを備えるキャリアは、広帯域ＣＱＩ／ＰＭＩまたはサブ帯域ＣＱＩを含むフィードバックを備えるキャリアより高い先行を有する、請求項１に記載の方法。
【請求項１４】
無線リソース制御信号は、前記アップリンクキャリア上で前記フィードバックを送信することにおいて、前記多数のダウンリンクキャリアの前記少なくとも１つと前記多数のダウンリンクキャリアの前記異なる１つとの間でどのキャリアが先行しているかを定義するルールを明示する、請求項１に記載の方法。
【請求項１５】
キャリア先行は、前記コリジョンが異なるタイプのフィードバック間で生じる場合におけるフィードバックのタイプ、および、前記コリジョンが同じタイプのフィードバック間で生じる場合における無線リソース制御（ＲＲＣ）、の一部に少なくとも基づいて決定される、請求項１に記載の方法。
【請求項１６】
前記多数のダウンリンクキャリアの前記少なくとも１つと前記多数のダウンリンクキャリアの前記異なる１つとの間で最も高い先行を備えるキャリアのフィードバックのみが前記サブフレームにおいて送信される、請求項１２に記載の方法。
【請求項１７】
最も高い先行を備える前記キャリアの前記フィードバックは、チャネル品質インジケータ（ＣＱＩ）である、請求項１６に記載の方法。
【請求項１８】
最も高い先行を備える前記キャリアの前記フィードバックは、ランクインジケータ（ＲＩ）である、請求項１６に記載の方法。
【請求項１９】
最も高い先攻を備える前記キャリアの前記フィードバックは、プリコーディングマトリックスインジケータ（ＰＭＩ）である、請求項１６に記載の方法。
【請求項２０】
複数のダウンリンクキャリアのためにアップリンクフィードバックを送信する装置であって、
多数のダウンリンクキャリアを受信する手段と、前記多数のダウンリンクキャリアの各々は、前記多数のダウンリンクキャリアの他のキャリアと異なる周波数レンジを含み、
前記多数のダウンリンクキャリアのためのフィードバックのために割り当てられたアップリンクキャリアを決定する手段と、
前記多数のダウンリンクキャリアの少なくとも１つのための第１のフィードバックと前記多数のダウンリンクキャリアのうちの異なる１つのための第２のフィードバックとの間でコリジョンが生じる場合、前記多数のダウンリンクキャリアのうちのどのキャリアが先行しているかを決定する手段と、
前記決定されたキャリア先行に基づいて、前記アップリンクキャリア上で前記第１のフィードバックまたは第２のフィードバックを報告する手段と、
を備える装置。
【請求項２１】
前記多数のダウンリンクキャリアのうちの前記異なる１つのための前記第２のフィードバックが前記多数のダウンリンクキャリアのうちの前記少なくとも１つのための前記第１のフィードバックとして同一サブフレーム上で送信されるように構成されるとき、前記コリジョンが生じる、請求項２０に記載の装置。
【請求項２２】
前記多数のダウンリンクキャリアの前記少なくとも１つと前記多数のダウンリンクキャリアの前記異なる１つとの間で最も高い先行を備えるキャリアのフィードバックのみが前記サブフレームにおいて送信される、請求項２１に記載の装置。
【請求項２３】
最も高い先行を備える前記キャリアの前記フィードバックは、チャネル品質インジケータ（ＣＱＩ）である、請求項２２に記載の装置。
【請求項２４】
最も高い先行を備える前記キャリアの前記フィードバックは、ランクインジケータ（ＲＩ）である、請求項２２に記載の装置。
【請求項２５】
最も高い先行を備える前記キャリアの前記フィードバックは、プリコーディングマトリックスインジケータ（ＰＭＩ）である、請求項２２に記載の装置。
【請求項２６】
ランクインジケータ（ＲＩ）を含むフィードバックを備えるキャリアは、広帯域ＣＱＩ／ＰＭＩまたはサブ帯域ＣＱＩを含むフィードバックを備えるキャリアより高い先行を有する、請求項２０に記載の装置。
【請求項２７】
無線リソース制御信号は、前記アップリンクキャリア上で前記フィードバックを送信することにおいて、前記多数のダウンリンクキャリアの前記少なくとも１つと前記多数のダウンリンクキャリアの前記異なる１つとの間でどのキャリアが先行しているかを定義するルールを明示する、請求項２０に記載の装置。
【請求項２８】
キャリア先行は、前記コリジョンが異なるタイプのフィードバック間で生じる場合におけるフィードバックのタイプ、および、前記コリジョンが同じタイプのフィードバック間で生じる場合における無線リソース制御（ＲＲＣ）、の一部に少なくとも基づいて決定される、請求項２０に記載の装置。
【請求項２９】
複数のダウンリンクキャリアのためにアップリンクフィードバックを送信するためのコンピュータ読み取り可能記憶媒体であって、
多数のダウンリンクキャリアを受信するためのコードと、前記多数のダウンリンクキャリアの各々は、前記多数のダウンリンクキャリアの他のキャリアと異なる周波数レンジを含み、
前記多数のダウンリンクキャリアのためのフィードバックのために割り当てられたアップリンクキャリアを決定するためのコードと、
前記多数のダウンリンクキャリアの少なくとも１つのための第１のフィードバックと前記多数のダウンリンクキャリアのうちの異なる１つのための第２のフィードバックとの間でコリジョンが生じる場合、前記多数のダウンリンクキャリアのうちのどのキャリアが先行しているかを決定するためのコードと、
前記決定されたキャリア先行に基づいて、前記アップリンクキャリア上で前記第１のフィードバックまたは第２のフィードバックを報告するためのコードと、
を備えるコンピュータ読み取り可能記憶媒体。
【請求項３０】
前記多数のダウンリンクキャリアのうちの前記異なる１つのための前記第２のフィードバックが前記多数のダウンリンクキャリアのうちの前記少なくとも１つのための前記第１のフィードバックとして同一サブフレーム上で送信されるように構成されるとき、前記コリジョンが生じる、請求項２９に記載のコンピュータ読み取り可能記憶媒体。
【請求項３１】
前記多数のダウンリンクキャリアの前記少なくとも１つと前記多数のダウンリンクキャリアの前記異なる１つとの間で最も高い先行を備えるキャリアのフィードバックのみが前記サブフレームにおいて送信される、請求項３０に記載のコンピュータ読み取り可能記憶媒体。
【請求項３２】
ランクインジケータ（ＲＩ）を含むフィードバックを備えるキャリアは、広帯域ＣＱＩ／ＰＭＩまたはサブ帯域ＣＱＩを含むフィードバックを備えるキャリアより高い先行を有する、請求項２９に記載のコンピュータ読み取り可能記憶媒体。
【請求項３３】
無線リソース制御信号は、前記アップリンクキャリア上で前記フィードバックを送信することにおい、前記多数のダウンリンクキャリアの前記少なくとも１つと前記多数のダウンリンクキャリアの前記異なる１つとの間でどのキャリアが先行しているかを定義するルールを明示する、請求項２９に記載のコンピュータ読み取り可能記憶媒体。
【請求項３４】
キャリア先行は、前記コリジョンが異なるタイプのフィードバック間で生じる場合におけるフィードバックのタイプ、および、前記コリジョンが同じタイプのフィードバック間で生じる場合における無線リソース制御（ＲＲＣ）、の一部に少なくとも基づいて決定される、請求項２９に記載のコンピュータ読み取り可能記憶媒体。
【請求項３５】
複数のダウンリンクキャリアのためにアップリンクフィードバックを送信する装置であって、
多数のダウンリンクキャリアを受信する受信機と、前記多数のダウンリンクキャリアの各々は、前記多数のダウンリンクキャリアの他のキャリアと異なる周波数レンジを含み、
前記多数のダウンリンクキャリアのためのフィードバックのために割り当てられたアップリンクキャリアを決定し、前記多数のダウンリンクキャリアの少なくとも１つのための第１のフィードバックと前記多数のダウンリンクキャリアのうちの異なる１つのための第２のフィードバックとの間でコリジョンが生じる場合、前記多数のダウンリンクキャリアのうちのどのキャリアが先行しているかを決定するプロセッサと、
前記決定されたキャリア先行に基づいて、前記アップリンクキャリア上で前記第１のフィードバックまたは前記第２のフィードバックを送信する送信機と
を備える装置。
【請求項３６】
前記多数のダウンリンクキャリアのうちの前記異なる１つのための前記第２のフィードバックが前記多数のダウンリンクキャリアのうちの前記少なくとも１つのための前記第１のフィードバックとして同一サブフレーム上で送信されるように構成されるとき、前記コリジョンが生じる、請求項３５に記載の装置。
【請求項３７】
前記多数のダウンリンクキャリアの前記少なくとも１つと前記多数のダウンリンクキャリアの前記異なる１つとの間で最も高い先行を備えるキャリアのフィードバックのみが前記サブフレームにおいて送信される、請求項３６に記載の装置。
【請求項３８】
ランクインジケータ（ＲＩ）を含むフィードバックを備えるキャリアは、広帯域ＣＱＩ／ＰＭＩまたはサブ帯域ＣＱＩを含むフィードバックを備えるキャリアより高い先行を有する、請求項３５に記載の装置。
【請求項３９】
無線リソース制御信号は、前記アップリンクキャリア上で前記フィードバックを送信することにおいて、前記多数のダウンリンクキャリアの前記少なくとも１つと前記多数のダウンリンクキャリアの前記異なる１つとの間でどのキャリアが先行しているかを定義するルールを明示する、請求項３５記載の装置。
【請求項４０】
キャリア先行は、前記コリジョンが異なるタイプのフィードバック間で生じる場合におけるフィードバックのタイプ、および、前記コリジョンが同じタイプのフィードバック間で生じる場合における無線リソース制御（ＲＲＣ）、の一部に少なくとも基づいて決定される、請求項３５に記載の装置。
【発明の詳細な説明】
【米国特許法第１１９条の下での優先権主張】
【０００１】
本願は、本願の譲受人に譲渡され、参照によって本願に明確に組み込まれた２００８年１１月１１日出願の“マルチキャリアシステムにおけるＵＥフィードバック”と題された、米国特許仮出願第６１／１１３，４０１号に対する優先権を主張する。
【技術分野】
【０００２】
本開示は、一般に通信に関し、特に複数のキャリア無線通信ネットワークにおけるチャネル品質フィードバックのための技術に関する。
【背景技術】
【０００３】
第３世代パートナーシッププロジェクト（３ＧＰＰ）ロングタームエボリューション（ＬＴＥ）は、携帯電話技術においてより大きい進歩を表し、グローバルシステムフォーモバイルコミュニケーション（ＧＳＭ（登録商標））及びユニバーサルモバイルテレコミュニケーションシステム（ＵＭＴＳ）の自然進化として携帯電話３Ｇサービスにおける前への次のステップである。ＬＴＥは、５０メガビット／秒（Ｍｂｐｓ）以下のアップリンク速度及び１００Ｍｂｐｓ以下のダウンリンク速度を備え、多くの技術上の利益をセルラーネットワークにもたらす。ＬＴＥは、次の１０年間になっても大容量の音声サポートと同様に高速のデータ及び媒体輸送のためのキャリアのニーズを満たすように計画される。帯域幅は、１．２５ＭＨｚから２０ＭＨｚまで拡張可能である。これは、異なる帯域幅の割り当てを有する異なるネットワークオペレータのニーズに都合が良く、また、オペレータがスペクトルに基づいて異なるサービスを提供することを可能にする。ＬＴＥはまた、キャリアが与えられた帯域幅を超えてより多くのデータ及び音声サービスを提供すること可能にして、３Ｇネットワークにおいてスペクトルの効率を改良することを期待されている。ＬＴＥは、高速データ、マルチメディアユニキャスト及びマルチメディアブロードキャストサービスを包含する。
【０００４】
ＬＴＥ物理層（ＰＨＹ）は、改良された基地局（ｅＮｏｄｅＢ）及びモバイルユーザ装置（ＵＥ）の間でデータ及び制御情報の両方を伝達するより高い効率の手段である。ＬＴＥ ＰＨＹは、セルラーアプリケーションにとって目新しいいくつかの進歩した技術を用いる。これらは、直行周波数分割多重（ＯＦＤＭ）及び多重入出力（ＭＩＭＯ）データ送信を含む。加えて、ＬＴＥ ＰＨＹは、ダウンリンク（ＤＬ）上で直行周波数分割多元接続を使用し、アップリンク（ＵＬ）上で単一のキャリア周波数分割多元接続（ＳＣ−ＦＤＭＡ）を使用する。ＯＦＤＭＡは、データがシンボル周期の明示された数に対するサブキャリア毎の基礎上で複数のユーザにまたは複数のユーザから導かれることを可能にする。
【０００５】
最近、進歩したＬＴＥは、４Ｇサービスを提供するための発展するモバイル通信標準である。３Ｇ技術として定義されると、ＬＴＥは、１Ｇビット／秒のピークデータ率のような国際電気通信連合によって定義されるような進歩したＩＭＴとまた呼ばれる４Ｇに対する要件を満たさない。ピークデータ率と比べて、進歩したＬＴＥはまた、電力状態及びセル端での改良された性能の間でのより速い切り替えを目標に定める。
【０００６】
ダウンリンク及びアップリンク上の複数のキャリアは、拡大された帯域幅を促進する。しかしながら、これは、アップリンク上でユーザ装置のための付加的なフィードバック報告要件を導入する。ダウンリンクキャリア及びアップリンクキャリアの様々な可能な組み合わせは、オーバヘッドが付加的な帯域幅上で報告するために増加するので、このようなフィードバックを複雑にすることができる。加えて、単一のアップリンクキャリアに対する単一のダウンリンクキャリアの暗黙のペアリングは、効率のよいネットワークオペレーションのためのフィードバックを要求するであろうキャリアのペアリングまたはグルーピングの様々な暗黙のまたは明白な可能性によって複雑にされる。
【概要】
【０００７】
下記は、開示された態様のいくつかの態様の基礎知識を提供するために単純化した概要を示す。この概要は、広範な概観でなく、主要なまたは重大な要素を識別しないし、このような態様の範囲を描写しないことが意図されている。その目的は、後で示されるより詳細な記述の前触れとして単純化した形式において記述された特徴のいくつかのコンセプトを示すことである。
【０００８】
１つ以上の態様及び対応する開示に従うと、様々な態様は、単一のダウンリンク（ＤＬ）キャリア及び単一のアップリンク（ＵＬ）キャリアによるレガシー単一キャリア通信を有利にまた促進する間、ユーザ装置の集団からマルチチャネルフィードバック（例えば、チャネル品質インジケータ（ＣＱＩ）、ランクインジケータ（ＲＩ）、プリコーディングマトリックスインジケータ（ＰＭＩ））を構成することを促進する無線通信システムに関連して記述される。
【０００９】
１つの態様において、方法は、次に続く行為を実現するためのコンピュータ読み取り可能記憶媒体上に記憶されたコンピュータ実行可能命令を実行するプロセッサを用いることによって複数のダウンリンクキャリアのためにアップリンクフィードバックを送信するために提供される：多数のダウンリンクキャリアは受信される。多数のダウンリンクキャリアのうちの少なくとも１つのためのフィードバックのために割り当てられたアップリンクキャリアは決定される。アップリンクキャリア上のフィードバックは送信される。
【００１０】
別の態様において、コンピュータプログラム製品は、複数のダウンリンクキャリアのためにアップリンクフィードバックを送信するために提供される。少なくとも１つのコンピュータ読み取り可能記憶媒体は、少なくとも１つのプロセッサによって実行されるときに構成要素を実現するコンピュータ実行可能命令を記憶する：命令の第１のセットは、コンピュータに多数のダウンリンクキャリアを受信させる。命令の第２のセットは、コンピュータに多数のダウンリンクキャリアのうちの少なくとも１つのためのフィードバックのために割り当てられたアップリンクキャリアを決定させる。命令の第３のセットは、コンピュータにアップリンクキャリア上でフィードバックを送信させる。
【００１１】
付加的な態様において、装置は、複数のダウンリンクキャリアのためにアップリンクフィードバックを送信するために提供される。少なくとも１つのコンピュータ読み取り可能記憶媒体は、少なくとも１つのプロセッサによって実行されるときに構成要素を実現するコンピュータ実行可能命令を記憶する：手段は、多数のダウンリンクキャリアを受信するために提供される。手段は、多数のダウンリンクキャリアのうちの少なくとも１つのためのフィードバックのために割り当てられたアップリンクキャリアを決定するために提供される。アップリンクキャリア上でフィードバックを送信する手段。
【００１２】
更なる態様において、装置は、複数のダウンリンクキャリアのためにアップリンクフィードバックを送信するために提供される。受信機は、多数のダウンリンクキャリアを受信する。コンピューティングプラットフォームは、多数のダウンリンクキャリアのうちの少なくとも１つのためのフィードバックのために割り当てられたアップリンクキャリアを決定する。送信機は、アップリンクキャリア上でフィードバックを送信する。
【００１３】
更に１つの態様において、方法は、次に続く行為を実現するためにコンピュータ読み取り可能記憶媒体上に記憶されたコンピュータ実行可能命令を実行するプロセッサを用いることによって複数のダウンリンクキャリアのためにアップリンクフィードバックを受信するために提供される：多数のダウンリンクキャリアは送信される。多数のダウンリンクキャリアのうちの少なくとも１つのためのフィードバックのために割り当てられたアップリンクキャリアは確立される。フィードバックはアップリンクキャリア上で受信される。
【００１４】
更に別の態様において、コンピュータプログラム製品は、複数のダウンリンクキャリアのためにアップリンクフィードバックを受信するために提供される。少なくとも１つのコンピュータ読み取り可能記憶媒体は、少なくとも１つのプロセッサによって実行されるときに構成要素を実現するコンピュータ実行可能命令を記憶する：命令の第１のセットは、コンピュータに多数のダウンリンクキャリアを送信させる。命令の第２のセットは、コンピュータに多数のダウンリンクキャリアのうちの少なくとも１つのためのフィードバックのために割り当てられたアップリンクキャリアを確立させる。命令の第３のセットは、コンピュータにアップリンクキャリア上でフィードバックを受信させる。
【００１５】
更に付加的な態様において、装置は、複数のダウンリンクキャリアのためにアップリンクフィードバックを受信するために提供される。少なくとも１つのコンピュータ読み取り可能記憶媒体は、少なくとも１つのプロセッサによって実行されるときに構成要素を実現するコンピュータ実行可能命令を記憶する：手段は、多数のダウンリンクキャリアを送信するために提供される。手段は、多数のダウンリンクキャリアのうちの少なくとも１つのためのフィードバックのために割り当てられたアップリンクキャリアを確立するために提供される。手段は、アップリンクキャリア上でフィードバックを受信するために提供される。
【００１６】
更なる態様において、装置は、複数のダウンリンクキャリアのためにアップリンクフィードバックを受信するために提供される。送信機は、多数のダウンリンクキャリアを送信する。コンピューティングプラットフォームは、多数のダウンリンクキャリアのうちの少なくとも１つのためのフィードバックのため割り当てられたアップリンクキャリアを確立する。受信機はアップリンクキャリア上でフィードバックを受信する。
【００１７】
前記のもの及び関係のある目的の遂行に対して、１つ以上の態様は、下に十分に記述され、特に特許請求の範囲において指示される特徴を備える。次に続く記述及び添付される図は、ある実例となる態様を詳細に説明し、態様の原理が用いられることができる様々な方法のほんの少しだけを示している。図と併せて考慮されるとき、他の利点及び新しい特徴は、次に続く詳細な記述から明白になるであろう。そして、開示される態様は、全てのそのような態様及びそれらの同等物を含むことが意図されている。
【図面の簡単な説明】
【００１８】
本開示の特徴、本質、及び利点は、同様な参照文字が相応して至る所で識別する図と併せて利用されるときに以下に説明される詳細な記述からより明白になるであろう。
【図１】図１は、ノード及びユーザ装置の集団の間で複数のキャリア接続の部分としてフィードバックを促進する無線通信システムのブロック図を描写する。
【図２】図２は、チャネル品質インジケータ（ＣＱＩ）フィードバックのために送信されたデータ構造に対する図を描写する。
【図３】図３は、独立した、連結されたマルチキャリアフィードバックレポートフォーマットのためのデータ構造に対する図を描写する。
【図４】図４は、時間内にキャリアによって循環するフィードバックデータ構造に対する図を描写する。
【図５】図５は、時間及び周波数においてスタガされたマルチキャリアフィードバック報告構造及び周波数に対する図を描写する。
【図６】図６は、キャリアにわたった合同チャネル品質インジケータフィードバックのための方法論に対するフロー図を描写する。
【図７】図７は、単一のフィードバックレポートフォーマットのための第１のデータ構造の図を描写する。
【図８】図８は、フィードバックレポートフォーマットのための第２のデータ構造の図を描写する。
【図９】図９は、キャリア毎の広帯域チャネル品質インジケータ（ＣＱＩ）フィードバック、キャリア全体にわたった広帯域ＣＱＩ、及び各々のキャリア内のサブ帯域を報告する方法論に対するフロー図を描写する。
【図１０】図１０は、マルチキャリアの多対１の非周期的なＣＱＩフィードバックのための方法論に対するフロー図を描写する。
【図１１】図１１は、多対１のマッピングのための方法論に対するフロー図を描写する。
【図１２】図１２は、無線通信ネットワークの典型的な環境の図を描写する。
【図１３】図１３は、複数のアクセス無線通信システムの図を描写する。
【図１４】図１４は、基地局及び端末の多重入出力（ＭＩＭＯ）通信システムの概要図を描写する。
【図１５】図１５は、複数のダウンリンクキャリアのためにアップリンクフィードバックを送信する電気構成要素の論理グルーピングのブロック図を描写する。
【図１６】図１６は、複数のダウンリンクキャリアのためにアップリンクフィードバックを受信する電気構成要素の論理グルーピングのブロック図を描写する。
【図１７】図１７は、複数のダウンリンクキャリアのためにアップリンクフィードバックを送信する手段を有する装置のブロック図を描写する。
【図１８】図１８は、複数のダウンリンクキャリアのためにアップリンクフィードバックを受信する手段を有する装置のブロック図を描写する。
【詳細な説明】
【００１９】
様々な態様は、図に関して今記述される。次に続く記述においては、説明の目的のために、多数の特定の詳細が１つ以上の態様の完全な理解を提供するために説明される。しかしながら、様々な態様がこれらの特定な詳細なしで実行されることができるということは明らかかもしれない。他の例において、よく知られている構造及びデバイスは、これらの態様を記述することを促進するためにブロック図形式において示される。
【００２０】
図１において、無線通信システム１００は、マクロ発展基地局（ｅＮＢ）１０６として描写される、サービングノードに対するユーザ装置（ＵＥ）１０４ａ−１０４ｄの集団からのマルチチャネルフィードバック（例えば、チャネル品質インジケータ（ＣＱＩ）、ランクインジケータ（ＲＩ）、プリコーディングマトリックスインジケータ（ＰＭＩ））を促進する。特に、ｅＮＢ１０６は、単一のダウンリンク（ＤＬ）キャリア１１０を受信し、単一のアップリンク（ＵＬ）キャリア１１２を送信するレガシー単一キャリアＵＥ１０４ａとともに１０８で描写されるレガシー単一キャリア通信を促進している。
【００２１】
有利に、ｅＮＢ１０６は、マルチキャリアＵＥ１０４ｂ−１０４ｄをサポートする。例えば、ペアのＤＬ／ＵＬ通信は、マルチキャリアＵＥ１０４ｂとともに１１４で描写されている。ここで、複数のＤＬキャリア１１６は、複数のＵＬキャリア（“ペアのＵＬキャリア”）１１８とペアにされている。マルチキャリアＵＥ１０４ｂは、対応するペアのＵＬキャリア１１８上でＣＱＩ１２０ａ−１２０ｂとして描写される、チャネルフィードバックを送信することによって関連性を用いることができる。
【００２２】
別の例として、周期的な多対１のマッピング通信は、マルチキャリアＵＥ１０４ｃとともに１２２で描写される。ここで、複数のＤＬキャリア１２６上の一般にブロードキャストシステム情報（ＳＩ）またはＵＥ固有（専用のシグナル伝達）無線リソース制御（ＲＲＣ）シグナル伝達１２４は、ＣＱＩフィードバック１３０として描写されて、チャネルフィードバックのためにＵＬアンカーキャリア１２８を指示する。このように、ｅＮＢ１０６によって受信された多くのＵＬアンカーキャリア１２８のうちの１つであることができる、１つのＵＬアンカーキャリア１２８は、ＤＬキャリア１２６のうちの１つと必然的にペアにされることよりむしろ指示されることができる。多対１のＤＬ／ＵＬが明快のために描写されているということは、認識されるべきである。しかしながら、実現は、キャリア（例えば、５〜２）のＵＬマッピングへのＤＬの様々な組み合わせを伴うことができる。
【００２３】
したがって、複数のＤＬキャリア１２６のためのＣＱＩフィードバックのための指示／マッピングは、ＣＱＩフィードバックが送られるＤＬキャリアとペアにされているＵＬキャリア上で、またはペアにすることにかかわらずアンカーＵＬキャリア上でＣＱＩフィードバックが送られるかどうかを示すフラグ上で伝達されることができる。代替的にまたは加えて、指示／マッピングは、システム情報（共通）上でまたは前に簡単に述べられたようにＲＲＣシグナル伝達（ＵＥ毎）によって伝達されることができる。指示／マッピングは、レガシーＵＥ１０４ａに対して明白であることができる。ところが、マルチキャリアＵＥ１０４ｂ−１０４ｄは、適切な割り当てを検出するためにこのインジケータフラグを使用することができる。より一般的な場合において、ＣＱＩフィードバックは、ＲＲＣシグナル伝達によってＵＥに伝達されるスケジューリングに従って任意の指示されたＵＬキャリア上で送られることができる。異なるＵＥは、ＣＱＩフィードバックのために異なる指示されたＵＬアンカーキャリア１２８を有することができるであろう。複数のＤＬキャリアＣＱＩフィードバック１３０が１つの指示されたＵＬアンカーキャリア１２８上で送られる場合、そのＵＬアンカーキャリア１２８は、他のＤＬキャリア１２６のためにＣＱＩフィードバック１３０と同じようにそれがペアにされたＤＬキャリア１２６のためにＣＱＩフィードバック１３０を伝える。少しもＣＱＩフィードバック１３０を伝達しないいくつかのＵＬアンカーキャリア１２８があることがある。これらＵＬアンカーキャリア１２８は、これらのＵＬアンカーキャリア１２８上に任意のレガシーＵＥ１０４ａがある場合、レガシーＵＥＣＱＩフィードバックをまだ伝えることができる。
【００２４】
いくつかの典型的な実現は、多対１のＤＬ／ＵＬマッピング１３２のために描写される。例えば、各々のＤＬキャリア１２６は、独立してマッピングされる（ブロック１３４）。ＣＱＩフィードバックは、各々のキャリアのために独立して構成されることができる。ＰＵＣＣＨマッピングは、異なるＤＬキャリアのためのＣＱＩフィードバックが重ならないように計画されることができる。ＣＱＩフィードバックのマッピングは、ＲＲＣシグナル伝達によってＵＥに伝達されることができる。レガシーＵＥは、各々のキャリアのためのＣＱＩフィードバックをどのリソースブロック、時間オフセット及び周期性にマッピングするかの情報を得ることができる。特に、ＤＬキャリア（独立した）毎のはっきりと異なるＣＱＩは、図２−３に関して以下に議論される周波数において連結された仕方において報告されることができる（ブロック１３６）。代替的に、独立したＣＱＩは、図４に関して以下に議論される時間内の循環の仕方において報告されることができる（ブロック１３８）。別の代案として、独立したＣＱＩは、図５に関して以下に議論される時間及び周波数においてスタガされた仕方において報告されることができる（ブロック１４０）。ＤＬキャリア毎の独立したＣＱＩよりむしろ、マルチキャリアチャネルフィードバックマッピング１３２は、図６に関して以下に議論される１つの広帯域幅としてみなして、合同で報告されることができる（ブロック１４２）。特に、サブ帯域サイズ及び帯域幅部分を定義するテーブルは、システム帯域幅の機能として拡大されることができる。独立したまたは合同のＣＱＩマルチキャリアフィードバックマッピング１３４，１４２に対する代案として、単一のレポートは、図７に関して以下に議論されるマルチキャリア（ＭＣ）ＣＱＩフィードバックのために設計されたＣＱＩフォーマットを定義する（ブロック１４４）。更に別の代案として、マルチキャリアチャネルフィードバックマッピング１３２は、循環するキャリア／サブ帯域報告を備えることができる（ブロック１４６）。ここで、フィードバック報告の一部分は、図８に関して以下に議論されて、各々のスケジュールに入れられたインスタンスのために報告される。
【００２５】
無線通信システム１００はまた、ＰＵＣＣＨ１６２上のＣＱＩ１６０のような、ＵＬキャリア１５８上で報告された複数のＤＬキャリア１５６上に提供されるネットワーク要求またはスケジューリング（“非周期的なフィードバック許可”）１５２に従って１５０で非周期的なフィードバックを実行するためのマルチキャリアＵＥ１０４ｄを備えることができる。１つの態様において、ＣＱＩ１６４として描写されるフィードバックは、無線リソース制御によって与えられたサイズ及びメッセージフォーマットに反応する物理アップリンク共有チャネル（ＰＵＳＣＨ）のためにデータ送信許可上でよりいっそう促進される。ＵＥ１０４ａ−１０４ｂが周期的な及び非周期的なフィードバックの両方を実行することができるということは認識されるべきである。
【００２６】
図２において、送信されたデータ構造２００は、各々の時間周期“Ｐ”の間に周波数において連結されたキャリア１−３として描写されて、キャリア毎の独立したＣＱＩフィードバックを提供する。図３において、独立した、連結されたフィードバック報告の別の例は、送信時間間隔（ＴＴＩ）を超えてＤＬキャリア１及び２のための直交ＵＬ制御領域のためのデータ構造として描写される。いくつかの例において、連結させることは、キャリアの大数のためのＰＵＣＣＨサイズの著しい増加に帰着する。ＣＱＩレポート毎の電力低減は、単一のものと比べてＣＱＩレポートを一度に課されることができる。
【００２７】
図４において、データ構造４００は、時間内にキャリアによって循環するフィードバックのために提供される。可能なより大きい遅延及びＣＱＩ情報の不正確は、単一のキャリアの場合のように同一のオーバヘッドとともに実現された結果であることができる。同一の遅延は、異なるキャリアのためのフィードバックがより大きなオーバヘッドを備える単一のキャリアの場合のように同一の周期性を備える時間オフセットであるときに達成されることができる。
【００２８】
図５において、データ構造５００は、チャネルフィードバックのために時間及び周波数においてスタガされたフィードバックのために描写される。各々のＤＬキャリアレポートのための周波数リソース、周期性（例えば、Ｐ１＝１，Ｐ２＝２，Ｐ３＝２）及びオフセット（例えば、Ｏ１＝０，Ｏ２＝０，Ｏ３＝１）が定義される。周波数において連結させることは、全てのＣＱＩレポートが同一の周期性及びオフセットを有する特別の場合である。時間内の循環は、全てのＣＱＩレポートが同一の周期性及び異なるオフセットを有する特別な場合である。ＣＱＩ報告遅延及びオーバヘッドのような、各々のキャリアの要件に順応するための適応性が提供される。１つの態様において、キャリア全体にわたった広帯域ＣＱＩは、明白に報告されないが、キャリア毎の広帯域レポートから暗に得られることができる。異なるキャリアのためのＣＱＩフィードバックが同一のリソース上であるが異なるオフセット／周期性とともに構成される場合、時折のコリジョンが起こりうる。ＲＲＣは、どのキャリアが先行しているかを定義するルールを明示することができるであろう。
【００２９】
図６において、キャリアにわたった合同ＣＱＩフィードバックのための方法論６００は、複数のＤＬキャリアのＣＱＩフィードバックを含むＣＱＩ報告のための従来のＰＵＣＣＨフォーマット上で拡大することができる（ブロック６０２）。広帯域レポートは、全てのＤＬキャリアをわたってＣＱＩレポートに属するであろう（ブロック６０４）。システム帯域幅の機能としてサブ帯域サイズ及び帯域幅部分を定義するテーブルは、２０ＭＨｚ、例えば、１００ＭＨ以下より大きい帯域幅を含むために拡大される（ブロック６０６）。サブ帯域ＣＱＩ報告は、ある周期性とともに定義された帯域幅部分を超えて行われることができる（ブロック６０８）。１つの態様において、キャリア毎の広帯域ＣＱＩ報告は利用可能でなく、キャリア毎にＣＱＩフィードバックコンセプトが失われる。１つの帯域幅部分は、２つのキャリアに及ぶことができるであろう。
【００３０】
図７において、複数のＤＬキャリアのＣＱＩフィードバックを含むためのＣＱＩ報告のためのＰＵＣＣＨフォーマットのための第１のデータ構造７００は、１つのレポート中の全て／いくつかのＤＬキャリアのフィードバックを含むことができる。各々のＤＬのＣＱＩフィードバックは、同一の単一のモードとともに構成される。ＣＱＩフィードバックインスタンスは、連結される。広帯域ＣＱＩレポートは、各々のキャリアのためのもの、複数の広帯域ＣＱＩレポートからなる。サブ帯域ＣＱＩレポートは、各々のキャリアのためのもの、複数のサブ帯域ＣＱＩレポートからなる。明白なキャリア情報が必要とされるかもしれない（例えば、報告されたキャリアＣＱＩのサブセットが望ましい場合）。キャリアの数に依存する複数のオプションは、実現されることができる。例えば、構成は、サブ帯域フィードバックの場合のように同様に定義されることができる。別の例において、オプションは、（例えば、非周期的な報告のみのために）構成されたネットワーク、選択されたＵＥまたは広帯域モードであることができる。報告インスタンス毎に連結されたＣＱＩにわたった合同符号化が使用されることができる。１つの態様において、より大きなペイロードサイズは、物理アップリンク共有チャネル（ＰＵＳＣＨ）上で送られた非周期的なフィードバックに特に適している結果であろう。例えば、周期的なＰＵＣＣＨ送信のために定義されたモード１−１及び２−１は、マルチキャリアオペレーションのためのＰＵＳＣＨ上で周期的な方法における使用のために定義されることができるであろう。
【００３１】
図８において、フィードバックのＰＵＣＣＨ送信のための第２の典型的なデータ構造８００においては、サブ帯域が慣習的にどのように対処されるかに類似する方法において各々のＤＬキャリアを扱う。周期的な報告のために、キャリア全体にわたった広帯域ＣＱＩ、各々のキャリアのための広帯域ＣＱＩ、及び各々のキャリアのためのサブ帯域ＣＱＩは、ある周期性とともに送られるであろう。
【００３２】
例えば、図９において、方法論９００は、キャリア毎の広帯域ＣＱＩ、キャリア全体にわたった広帯域ＣＱＩ及び各々のキャリア内のサブ帯域を報告することのために描写される。１つの態様において、ＲＩと広帯域ＣＱＩ／ＰＭＩ及びサブ帯域ＣＱＩ報告の両方とが構成される（ブロック９０２）。特に、周期Ｐを伴う、ＣＱＩ報告インスタンスの同一のセットは、キャリア全体にわたった広帯域ＣＱＩ、キャリア毎の広帯域ＣＱＩ／ＰＭＩ及びサブ帯域ＣＱＩレポートのために使用される（ブロック９０４）。キャリア全体にわたった広帯域ＣＱＩ／ＰＭＩレポートは、周期Ｈ＊Ｐを有し、｛０，Ｈ，２Ｈ，…｝によってインデックスをつけられた報告インスタンスのセット上で報告される（ブロック９０６）。Ｊが帯域幅部分の数であり、Ｃがキャリアの数である場合、整数Ｈは、Ｈ＝Ｃ＊（Ｊ＊Ｋ＋１）＋１として定義される（ブロック９０８）。Ｊは、各々のＤＬキャリアのための帯域幅セグメントまたは部分の数の中で最大値として決定されることができるであろう、すなわち、帯域幅部分の数は、キャリア帯域幅に依存する（ブロック９１０）。Ｊ＝ｍａｘ｛Ｊｉ｝、値｛１，…，Ｃ｝をとるｉ（ブロック９１２）。キャリア毎の広帯域ＣＱＩ／ＰＭＩレポートは、周期Ｈ＊Ｐを有し、Ｃｉが値｛１，…，Ｃ｝をとるキャリアインデックスである場合、｛Ｈ−Ｃｉ，２Ｈ−Ｃｉ，…｝によってインデックスをつけられた報告インスタンスのセット上で報告される（ブロック９１４）。ＤＬキャリアレポート全体にわたった２つの連続する広帯域ＣＱＩ／ＰＭＩ毎の間に、残存するＣ＊Ｊ＊Ｋ報告インスタンスは、帯域幅部分のＫの全周期上のサブ帯域ＣＱＩレポート及びキャリア毎の１つの広帯域ＣＱＩ／ＰＭＩレポートのための順序で使用される（ブロック９１６）。ＲＩの報告間隔は対応するＤＬキャリア広帯域ＣＱＩ／ＰＭＩ周期のＭ倍であり、ＲＩはキャリア毎の広帯域ＣＱＩ／ＰＭＩ及びサブ帯域ＣＱＩレポートの両方として同一のＰＵＣＣＨ循環シフトリソース上で報告される（ブロック９１８）。ＲＩ及びキャリア毎の広帯域ＣＱＩ／ＰＭＩの間の（サブフレーム中の）オフセットは、Ｏとして示される（ブロック９２０）。ＲＩ及びキャリア毎の広帯域ＣＱＩ／ＰＭＩまたはサブ帯域ＣＱＩの間のコリジョンの場合において、キャリア毎の広帯域ＣＱＩ／ＰＭＩまたはサブ帯域ＣＱＩは落とされる（ブロック９２２）。パラメータＰ、Ｋ、Ｍ、及びＯは、半静的方法におけるＲＲＣメッセージのような上位層によって構成される（ブロック９２４）。パラメータＫはセット｛１，２，３，４｝から選択されることができ、パラメータＯはセット｛０，−１，−（Ｐ−１），−Ｐ｝から選択される（ブロック９２６）。
【００３３】
マルチキャリア通信のための非周期的なチャネルフィードバックに関して、ＣＱＩが１つの報告インスタンスにおいて報告されるキャリアの数が大きい場合にペイロードサイズが増加するということは、認識されるべきである。有利なアプローチは、ペイロードン増加を融通するために必要なリソースを提供するためにＰＵＣＣＨよりむしろＰＵＳＣＨ上で送信することである。例えば、周期的なＰＵＣＣＨ送信のために定義されたモード１−１及び２−１は、マルチキャリアシステムのためのＰＵＳＣＨ上で非周期的な方法における使用のために定義されることができる。１対１のＤＬ／ＵＬのＣＱＩマッピングのために、従来のアプローチが適用されることができる。
【００３４】
そのためには、図１０において、方法論１０００は、多対１のマルチキャリアの非周期的なＣＱＩのために描写される。非周期的なＣＱＩの指示は、スケジューリング許可において受信される（ブロック１００２）。ＣＱＩレポートサイズ及びメッセージフォーマットは、ＲＲＣによって与えられる（ブロック１００４）。ＵＥは、報告モード（例えば、ＰＭＩ、広帯域及びサブ帯域ＣＱＩの数の組み合わせ）のうちの１つを使用して同一のＰＵＳＣＨ上でＣＱＩ、ＰＭＩ及び対応するＲＩをフィードバックするために上位層によって半静的に構成される（ブロック１００６）。非周期的なＣＱＩ、ＰＭＩ及びＲＩ報告は、ＰＵＳＣＨ上で送信される（ブロック１００８）。
【００３５】
図１１中の１つの態様において、方法論１１００は、多対１のＤＬ／ＵＬのＣＱＩマッピングのために描写される。従来のモードは、ＤＬキャリアレポートの各々に用いられることができる（ブロック１１０２）。明白な情報は、アップリンク共有チャネル（ＵＬ−ＳＣＨ）許可中に含まれていることによってのような、どのＤＬキャリア（あるいは全て）にＣＱＩレポートを送るかのために提供されることができる（ブロック１１０４）。レポートは、連結されて、１つのＰＵＳＣＨ上で送られる（ブロック１１０６）。合同符号化スキームは、より大きいペイロードサイズに対するより良い符号化利得のために特に考慮されることができる。付加的なフォーマットは、キャリア全体にわたって広帯域ＣＱＩを含むことができる（ブロック１１１０）。
【００３６】
ＰＵＣＣＨ及びＰＵＳＣＨのＣＱＩの送信（Ｔｘ）に関して、ＵＥは、そのＣＱＩレポートとして同一のサブフレームにおけるＰＵＳＣＨ割り当てのためにスケジュールに入れられるまたは割り当てられる（ブロック１１１２）。
【００３７】
ＳＣ−ＦＤＭＡ（単一のキャリア周波数分割多元接続）のＵＬが使用されている場合（すなわち、両方の実行するＳＣ−ＦＤＭＡ）（ブロック１１１４）、同一のＰＵＣＣＨに基づく報告フォーマットは、周期的なレポートが必要とされなければＰＵＳＣＨ上でＣＱＩを報告するときに使用されることができる（ブロック１１１６）。ＲＲＣによって与えられたＣＱＩレポートサイズ及びメッセージフォーマットは、スケジューリング許可フォーマットを備えるＰＤＣＣＨがＰＵＳＣＨ上で送られた非周期的なレポートが必要とされるということを示す場合に使用されることができる（ブロック１１１８）。
【００３８】
ＯＦＤＭＡ（直行周波数分割多元接続）のＵＬが使用されている（すなわち、ＳＣ−ＦＤＭＡの制限のないもとにない）場合（ブロック１１２０）、ＰＵＳＣＨデータ送信にかかわらず、より信頼できる送信のためＰＵＣＣＨリソース上でＣＱＩを送ることが望ましいかもしれない（ブロック１１２２）。影響は、ＰＵＣＣＨ上でのより小さい干渉の変化である。ＰＵＣＣＨ上での電力制御は、制御のための望ましいオペレーティングポイントを保証することができるであろう。ＰＵＳＣＨ上で束にされるとき、電力制御は、制御部分のために‘特別の’何もすることがでない。欠点は、単一のキャリアオペレーションにおけるよりもより高いＰＡＲ（平均比率に対するピーク）である。非周期的なＣＱＩレポートは、ＰＵＳＣＨ上で送信されるであろう（ブロック１１２４）。
【００３９】
有利に、１つのキャリア上のＰＵＳＣＨ上でスケジュールに入れられ、ＰＵＣＣｈ上の周期的なＣＱＩが別のキャリア上で予定されているとき、ＣＱＩレポートは、ＰＵＳＣＨ送信にかかわらずＰＵＣＣＨ上で送られることができる（ブロック１１２６）。このアプローチは、いくつかの影響を有する。まず第１に、ＰＵＣＣＨ（制御）及びＰＵＳＣＨ（データ）のためのルールは、分離させられる。第２に、ＰＵＳＣＨ許可が失敗されるときのエラーイベントは、ＰＵＣＣＨに影響を及ぼさない。制御がキャリアにわたってデータとともに多重化されると思われて、ＰＵＳＣＨ許可が失われる場合、ＵＥは、制御のためにＰＵＣＣＨを使用するであろう。その一方で、受信機は、割り当てられたＰＵＳＣＨリソース上で制御を予期するであろう。第３に、キャリアにわたって制御及びデータを多重化するために複雑にされた及びできる限りエラーの傾向のルールは、定義される必要がないであろう。制御マッピングは、どのキャリアがＰＵＳＣＨ送信をしているかに依存するであろう。
【００４０】
ＣＱＩ手順（すなわち、ＳＩ及びＲＲＣ）に関して、ＣＱＩ／ＡＣＫマッピングがＤＬキャリアのグループのために指示されたＵＬキャリアを続ける場合、システム情報は、情報を伝達する。全てのＤＬキャリアのためのアンカーＵＬキャリアは、特別な場合であることができる。暗黙のマッピングは、対応するＤＬキャリアのペアのＵＬキャリアのために提供されることができる。ＲＲＣシグナル伝達は、システム情報を無視することができるであろう。いくつかのＵＥのために異なるマッピングを有することが望ましい場合において、ＲＲＣシグナル伝達は、キャリア毎の独立した報告の場合におけるどんな報告間隔（周期性）及び報告インスタンス（オフセット）とともに、そして物理アップリンク制御チャネル（ＰＵＣＣＨ）スペースにおけるどのキャリアのためにどのリソースを使用するかをＵＥに通知する。ＲＲＣシグナル伝達は、キャリア毎の合同報告の場合において）パラメータ（例えば、ＰＵＣＣＨスペースにおいて使用するためのリソース、報告間隔（周期性）及び報告インスタンス（オフセット））の１つのセットを伝達することができる。ＲＲＣは、ＰＵＣＣＨスペース中の各々のＤＬキャリアのためにＡＣＫマッピングを開始するために各々のＤＬキャリアに対応する“ＣＱＩ境界”を確立するための適切なパラメータをセットアップすることができる。非周期的なＣＱＩレポートサイズ及びメッセージフォーマットは、ＲＲＣによって与えられることができる。
【００４１】
図１２中に示される例において、基地局１２１０ａ、１２１０ｂ及び１２１０ｃは、それぞれ、マクロセル１２０２ａ、１２０２ｂ及び１２０２ｃのためのマクロ基地局であることができる。基地局１２１０ｘは、端末１２２０ｘと通信するピコセル１２０２のためのピコ基地局であることができる。基地局１２１０ｙは、端末１２２０ｙと通信するフェムトセル１２０２ｙのためのフェムト基地局であることができる。簡単のために図１２中に示されないが、マクロセルは、端で重なることができる。ピコ及びフェムトセルは、マクロセル内に置かれるかもしれないし（図１２中に示されるように）、マクロセル及び／または他のセルと重なるかもしれない。
【００４２】
無線ネットワーク１２００はまた、中継局、例えば、端末１２２０ｚと通信する中継局１２１０ｚを含むことができる。中継局は、データ及び／または他の情報の送信をアップストリーム局から受信し、そのデータ及び／または他の情報をダウンストリーム局に送信する局である。アップストリーム局は、基地局、別の中継局、または端末であることができる。ダウンストリーム局は、端末、別の中継局、または基地局であることができる。中継局はまた、他の端末のために送信を中継する端末であることができる。中継局は、低い再利用プリアンブルを送信及び／または受信することができる。例えば、中継局は、ピコ基地局として同様の方法で低い再利用プリアンブルを送信することができ、端末として同様の方法で低い再利用プリアンブルを受信することができる。
【００４３】
ネットワークコントローラ１２３０は、基地局のセットに連結することができ、これらの基地局のために調整及び制御を提供することができる。ネットワークコントローラ１２３０は、単一のネットワークエンティティまたはネットワークエンティティのコレクションであることができる。ネットワークコントローラ１２３０は、帰路を経て基地局１２１０と通信することができる。帰路のネットワーク通信１２３４は、このような分散型アーキテクチャを用いる基地局１２１０ａ−１２１０ｃの間で２地点間通信を促進することができる。基地局１２１０ａ−１２１０ｃはまた、例えば、無線または有線の帰路を経て直接的にまたは間接的に、１つの別のものと通信することができる。無線ネットワーク１２００は、マクロ基地局（図１２中に示されない）のみを含む同種のネットワークであることができる。無線ネットワーク１２００はまた、異なるタイプの基地局、例えば、マクロ基地局、ピコ基地局、ホーム基地局、中継局等を含む異種のネットワークであることができる。これらの異なるタイプの基地局は、異なる送信電力レベル、異なるサービスエリア、及び無線ネットワーク１２００における干渉上の異なる影響を有するかもしれない。例えば、マクロ基地局は、高い送信電力レベル（例えば、２０ワット）を有することができるのに対して、ピコ及びフェムト基地局は、低い送信電力レベル（例えば、９ワット）を有することができる。ここで記述された技術は、同種の及び異種のネットワークに対して使用されることができる。
【００４４】
端末１２２０は、無線ネットワーク１２００の至る所に分散することができ、各々の端末は、動かないかもしれないし、移動できるかもしれない。端末はまた、アクセス端末（ＡＴ）、モバイル局（ＭＳ）、ユーザ装置（ＵＥ）、加入者ユニット、局等として言及されるかもしれない。端末は、携帯電話、パーソナルデジタルアシスタント（ＰＤＡ）、無線モデム、無線通信デバイス、ハンドヘルドデバイス、ラップトップコンピュータ、コードレス電話、ワイヤレスローカルループ（ＷＬＬ）局等であるかもしれない。端末は、ダウンリンク及びアップリンクを経て基地局と通信することができる。ダウンリンク（または送信リンク）は、基地局から端末への通信リンクを指し、アップリンク（または逆方向リンク）端末から基地局への通信リンクを指す。
【００４５】
端末は、マクロ基地局、ピコ基地局、フェムト基地局、及び／または他のタイプの基地局と通信することができるかもしれない。図１２において、ダブルの矢を備える実線は、端末及びサービング基地局の間の望ましい送信を示す。サービング基地局は、ダウンリンク及び／またはアップリンク上で端末に仕えるように指示された基地局である。ダブルの矢を備える破線は、端末及び基地局の間で干渉する送信を示す。干渉する基地局は、ダウンリンク上で端末に対する干渉を引き起こす及び／またはアップリンク上で端末からの干渉を観察する基地局である。
【００４６】
無線ネットワーク１２００は、同時性のまたは非同時性のオペレーションをサポートすることができる。同時性のオペレーションのために、基地局は、同一のフレームタイミングを有することができ、異なる基地局からの送信は、時間内に整列することができる。非同時性のオペレーションのために、基地局は、異なるフレームタイミングを有することができ、異なる基地局からの送信は、時間内に整列することができる。非同時性のオペレーションは、ピコ及びフェムト基地局に対してより共通であるかもしれない。それは、屋内に配置されることができ、グローバルポジショニングシステム（ＧＰＳ）のような同時性を持つソースへのアクセスを持たないことができる。
【００４７】
１つの態様において、システム容量を改良するために、それぞれの基地局１２１０ａ−１２１０ｃに対応するサービスエリア１２０２ａ、１２０２ｂ、または１２０２ｃは、複数のより小さいエリア（例えば、エリア１２０４ａ、１２０４ｂ、及び１２０４ｃ）に置かれることができる。より小さいエリア１２０４ａ、１２０４ｂ、及び１２０４ｃの各々は、それぞれのベーストランシーバサブシステム（ＢＴＳ、示されない）によって仕えられることができる。ここで及びその分野において一般的に使用されるように、用語“セクタ”は、ＢＴＳ及び／またはその用語が使用される文脈に依存するそのサービスエリアを指すことができる。１つの例において、アンテナの各々グループがセル１２０２ａ、１２０２ｂ、または１２０２ｃの一部分における端末１２２０との通信に対して責任がある場合、セル１２０２ａ、１２０２ｂ、１２０２ｃ中のセクタ１２０４ａ、１２０４ｂ、１２０４ｃは、基地局１２１０でアンテナのグループ（示されない）によって形成されることができる。例えば、セル１２０２ａに仕える基地局１２１０は、セクタ１２０４ａに対応する第１のアンテナグループ、セクタ１２０４ｂに対応する第２のアンテナグループ、及びセクタ１２０４ｃに対応する第３のアンテナグループを有することができる。しかしながら、ここで開示される様々な態様がセクタ化された及び／または非セクタ化されたセルを有するシステムにおいて使用されることができるということは認識されるべきである。更に、任意の数のセクタ化された及び／または非セクタ化されたセルを有する全ての適切な無線通信ネットワークがここに添えられた特許請求の範囲の範囲内に入ることを意図されているということは認識されるべきである。簡単のために、ここで使用されるような用語“基地局”は、セルに仕える局と同様にセクタに仕える局をも指すことができる。ここで使用されるように、合同でないリンクのシナリオにおけるダウンリンクセクタが隣のセクタであるということは認識されるべきである。次に続く記述が簡単のために１つのサービングアクセスポイントと各々の端末が通信するシステムに一般的に関するとしても、端末が任意の数のサービングアクセスポイントと通信することができるということは認識されるべきである。
【００４８】
無線多元接続通信システムは、複数の無線アクセス端末のための通信を同時にサポートすることができる。上で簡単に述べられたように、各々の端末は、送信及び逆方向リンク上での送信を経て１つ以上の基地局と通信することができる。送信リンク（またはダウンリンク）は、基地局から端末への通信リンクを指し、逆方向リンク（またはアップリンク）は、端末から基地局への通信リンクを指す。通信リンクは、単一イン単一アウトシステム、多重イン多重アウト（“ＭＩＭＯ”）システム、またはいくつかの他のタイプのシステムを経て確立されることができる。
【００４９】
図１３を参照すると、１つの態様に従った多元接続無線通信システムが例証される。アクセスポイント（ＡＰ）１３００は、複数のアンテナグループ、１３０１３及び１３０６を含むもの、１３０８及び１３１０を含む別のもの、及び１３１２及び１３１４を含む付加的なものを含む。図１３においては、２つのアンテナのみが各々のアンテナグループのために示されている。しかしながら、より多いまたはより少ないアンテナが各々のアンテナのために利用されるかもしれない。アンテナ１３１２及び１３１４が送信リンク１３２０を通してアクセス端末１３１６に情報を送信し、逆方向リンク１３２４を通してアクセス端末１３２２から情報を受信する場合、アクセス端末（ＡＴ）１３１６は、アンテナ１３１２及び１３１４と通信している。アンテナ１３０６及び１３０８が送信リンクを通してアクセス端末１３２２に情報を送信し、逆方向リンク１３２４を通してアクセス端末１３２２から情報を受信する場合、アクセス端末１３２２は、アンテナ１３０６及び１３０８と通信している。ＦＤＤシステムにおいて、通信リンク１３１８、１３２０、１３２４及び１３２６は、通信のために異なる周波数を使用することができる。例えば、送信リンク１３２０は、逆方向リンク１３１８によって使用されるそのときの異なる周波数を使用することができる。
【００５０】
アンテナの各々のグループ及び／またはそれらが通信するために設計されたエリアは、アクセスポイントのセクタとしてしばしば言及される。その態様において、アンテナグループの各々アクセスポイント１３００によってカバーされるエリアの、セクタにおけるアクセス端末に対して通信するために設計される。
【００５１】
送信リンク１３２０及び１３２６を通した通信において、アクセスポイント１３００の送信アンテナは、異なるアクセス端末１３１６及び１３２２のために送信リンクの信号対雑音比を改良するためにビーム形成を利用する。また、受信地域を通って不規則に散在しているアクセス端末に送信するためにビーム形成を使用するアクセスポイントは、そのアクセス端末の全てに対する単一のアンテナを通って送信するアクセスポイントよりも、隣接したセルにおいてアクセス端末に対するより少ない干渉を引き起こす。
【００５２】
アクセスポイントは、端末と通信するために使用される固定局であることができ、また、アクセスポイント、ノードＢ、またはいくつかの他の用語として言及されることができる。アクセス端末はまた、ユーザ装置（ＵＥ）、無線通信デバイス、端末、またはいくつかの他の用語と呼ばれるかもしれない。
【００５３】
ＭＩＭＯシステムは、データ送信のための複数の（ＮＴ）送信アンテナ及び複数の（ＮＲ）受信アンテナを用いる。ＮＴ送信及びＮＲ受信アンテナによって形成されるＭＩＭＯチャネルは、ＮＳ独立チャネルに分解されることができる。ＮＳ独立チャネルはなた、ＮＳ≦ｍｉｎ｛ＮＴ，ＮＲ｝の場合、空間的なチャネルとして言及される。ＮＳ独立チャネルの各々は、次元に対応する。ＭＩＭＯシステムは、複数の送信及び受信アンテナによって生成された付加的な次元性が利用される場合、改良された性能（例えば、より高いスループット及び／またはより大きい信頼度）を提供することができる。
【００５４】
ＭＩＭＯシステムは、時分割複信（“ＴＤＤ”）及び周波数分割複信（“ＦＤＤ”）をサポートすることができる。ＴＤＤシステムにおいて、送信及び逆方向リンク送信は、相互主義が逆方向リンクチャネルから送信リンクチャネルの推定を許可するように同一の周波数領域上にある。複数のアンテナがアクセスポイントで利用可能であるとき、これは、アクセスポイントに送信リンク上で送信ビーム形成利得を抽出することを可能にさせる。
【００５５】
ここでの教示は、少なくとも１つの他のノードと通信するための様々な構成要素を用いるノード（例えば、デバイス）に組み入れられることができる。図１４は、ノード間での通信を促進するために用いられることができるいくつかのサンプル構成要素を描写する。特に、図１４は、ＭＩＭＯシステム１４００の無線デバイス１４１０（例えば、アクセスポイント）及び無線デバイス１４５０（例えば、アクセス端末）を例証する。デバイス１４１０で、多くのデータストリームのためのトラフィックデータは、データソース１４１２から送信（“ＴＸ”）データプロセッサ１４１４に提供される。
【００５６】
いくつかの態様において、各々のデータストリームは、それぞれの送信アンテナを通して送信される。ＴＸデータプロセッサ１４１４は、符号化されたデータを提供するためにそのデータストリームのために選択された特別のコード体系に基づいて各々のデータストリームのためのトラフィックデータをフォーマットし、符号化し、インタリーブする。
【００５７】
各々のデータストリームのためのコード化されたデータは、ＯＦＤＭ技術を使用してパイロットデータとともに多重化されることができる。パイロットデータは、一般に既知の方法において処理される既知のデータパターンであり、チャネル応答を推定するために受信機システムで使用されることができる。各々のデータストリームのための多重化されたパイロット及び符号化されたデータは、変調シンボルを提供するためにそのデータストリームのために選択された特別の変調スキーム（例えば、ＢＰＳＫ、ＱＳＰＫ、Ｍ−ＰＳＫ、またはＭ−ＱＡＭ）に基づいてそのとき変調される（すなわち、シンボルマッピングされる）。各々のデータストリームのためのデータ率、符号化、及び変調は、プロセッサ１４３０によって実行される命令によって決定されることができる。データメモリ１４３２は、プログラムコード、データ、及びプロセッサ１４３０またはデバイス１４１０の他の構成要素によって使用される他の情報を記憶することができる。
【００５８】
全てのデータストリームのための変調シンボルは、ＴＸ ＭＩＭＯプロセッサ１４２０にそのとき提供される。ＴＸ ＭＩＭＯプロセッサ１４２０は、変調シンボル（例えば、ＯＦＤＭのための）を更に処理することができる。ＴＸ ＭＩＭＯプロセッサ１４２０は、ＮＴ変調シンボルストリームを送信機（ＴＭＴＲ）及び受信機（ＲＣＶＲ）をめいめいに有するＮＴトランシーバ（“ＸＣＶＲ”）１４２２ａ〜１４２２ｔにそのとき提供する。いくつかの態様において、ＴＸ ＭＩＭＯプロセッサ１４２０は、ビーム形成重みをデータストリームのシンボルに、及びシンボルが送信されているアンテナに適用する。
【００５９】
各々のトランシーバ１４２２ａ−１４２２ｔは、１つ以上のアナログ信号を提供するためにそれぞれのシンボルストリームを受信して処理し、ＭＩＭＯチャネルを通した送信に適した変調された信号を提供するためにアナログ信号を更に調整する（例えば、増幅する、フィルターに書ける、及びアップコンバートする）。トランシーバ１４２２ａ〜１４２２ｔからのＮＴ変調信号は、ＮＴアンテナ１４２４ａ〜１４２４ｔからそれぞれそのとき送信される。
【００６０】
デバイス１４５０で、送信された変調信号は、ＮＲアンテナ１４５２ａ〜１４５２ｒによって受信され、各々のアンテナ１４５２ａ−１４５２ｒから受信された信号は、それぞれのトランシーバ（“ＸＣＶＲ”）１４５４ａ〜１４５４ｒに提供される。各々のトランシーバ１４５４ａ−１４５４ｒは、それぞれの受信された信号を調整し（例えば、フィルターにかける、増幅する、及びダウンコンバートする）、サンプルを提供するために調整された信号をデジタル化し、対応する“受信された”シンボルストリームを提供するためにそのサンプルを更に処理する。
【００６１】
受信機（“ＲＸ”）データプロセッサ１４６０は、ＮＴ“検出された”シンボルストリームを提供するために特に受信機処理技術に基づいてＮＲトランシーバ１４５４ａ−１４５４ｒからＮＲ受信シンボルストリームをそのとき受信して処理する。ＲＸデータプロセッサは、データストリームのためにトラフィックデータを回復するために各々の検出されたシンボルストリームをそのとき復調し、デインタリーブし、復号する。ＲＸデータプロセッサ１４６０による処理は、デバイス１４１０でのＴＸデータプロセッサ１４１４及びＴＸ ＭＩＭＯプロセッサ１４２０によって実行されるそれに対して補足的である。
【００６２】
プロセッサ１４７０は、どのプロコーディングマトリックを使用するかを周期的に決定する。プロセッサ１４７０は、マトリックスインデックス部分及びランク値部分を備える逆方向リンクメッセージを公式化する。データメモリ１４７２は、プログラムコード、データ、及びプロセッサ１４７０またはデバイス１４５０の他の構成要素によって使用される他の情報を記憶することができる。
【００６３】
逆方向リンクメッセージは、通信リンク及び／または受信されたデータストリームに関しては様々なタイプの情報を備えることができる。逆方向リンクメッセージは、多くのデータストリームのためのトラフィックデータをデータソース１４３６から受信する、ＴＸデータプロセッサ１４３８によってそのとき処理され、変調器１４８０によって変調され、トランシーバ１４５４ａ〜１４５４ｒによって調整され、そしてまたデバイス１４１０へ送信される。
【００６４】
デバイス１４１０で、デバイス１４５０からの変調信号は、アンテナ１４２４ａ−１４２４ｔによって受信され、トランシーバ１４２２ａ−１４２２ｔによって調整され、復調器（“ＤＥＭＯＤ”）１４４０によって復調され、デバイス１４５０によって送信された逆方向リンクメッセージを抽出するためにＲＸデータプロセッサ１４４２によって処理される。プロセッサ１４３０は、ビーム形成重みが抽出されたメッセージをそのとき処理するかを決定するためにどのプロコーディングマトリックスを使用するかをそのとき決定する。
【００６５】
図１４はまた、通信構成要素が干渉制御オペレーションを実行する１つ以上の構成要素を含むことができるということを例証する。例えば、干渉（“ＩＮＴＥＲ．”）制御構成要素１４９０は、別のデバイス（例えば、デバイス１４５０）に／から信号を送る／受信するためにプロセッサ１４３０及び／またはデバイス１４１０の他の構成要素と協同することができる。同様に、干渉制御構成要素１４９２は、別のデバイス（例えば、デバイス１４１０）に／から信号を送る／受信するためにプロセッサ１４７０及び／またはデバイス１４５０の他の構成要素と協同することができる。各々のデバイス１４１０及び１４５０のために記述された構成要素の２つ以上の機能性が単一の構成要素によって提供されることができるということは、認識されるべきである。例えば単一の処理構成要素は、干渉制御構成要素１４９０及びプロセッサ１４３０の機能性を提供することができる。そして、単位の処理構成要素は、干渉制御構成要素１４９２及びプロセッサ１４７０の機能性を提供することができる。
【００６６】
図１５に関して、複数のダウンリンクキャリアのためのアップリンクフィードバックを送信するシステム１５００が例証される。例えば、システム１５００は、ユーザ装置（ＵＥ）内に少なくとも部分的に存することができる。システム１５００が機能ブロックを含むとして表されるということは認識されるべきである。その機能ブロックは、コンピューティングプラットフォーム、プロセッサ、ソフトウェア、またはそれらの組み合わせ（例えば、ファームウェア）によって実現される機能を表す機能ブロックであることができる。システム１５００は、結合して作動することができる電気構成要素の論理グルーピング１５０２を含む。例えば、論理グルーピング１５０２は、多数のダウンリンクキャリア１５０４を受信する電気構成要素を含むことができる。その上、論理グルーピング１５０２は、多数のダウンリンクキャリア１５０６のうちの少なくとも１つのためのフィードバックのために割り当てられたアップリンクキャリアを決定する電気構成要素を含むことができる。更に、論理グルーピング１５０２は、アップリンクキャリア１５０８上でフィードバックを送信する電気構成要素を含むことができる。加えて、システム１５００は、電気構成要素１５０４−１５０８と関連づけられた機能を実行するための命令を保持するメモリ１５２０を含むことができる。メモリ１５２０の外部にあるとして示されるが、電気構成要素１５０４−１５０８の１つ以上がメモリ１５２０内に存在することができるということは理解されるべきである。
【００６７】
図１６に関して、複数のダウンリンクキャリアのためにアップリンクフィードバックを受信するシステム１６００が例証される。例えば、システム１６００は、ネットワークエンティティ（例えば、発展基地局）内に少なくとも部分的に存することができる。システム１６００が機能ブロックを含むとして表されるということは認識されるべきである。その機能ブロックは、コンピュータプラットフォーム、プロセッサ、ソフトウェア、またはそれらの組み合わせ（例えば、ファームウェア）によって実現される機能を表す機能ブロックであることができる。システム１６００は、結合して作動することができる電気構成要素の論理グルーピング１６０２を含む。例えば、論理グルーピング１６０２は、多数のダウンリンクキャリア１６０４を送信する電気構成要素を含むことができる。その上、論理グルーピング１６０２は、多数のダウンリンクキャリア１６０６のうちの少なくとも１つのためのフィードバックのために割り当てられたアップリンクキャリアを確立する電気構成要素を含むことができる。更に、論理グルーピング１６０２は、アップリンクキャリア上でフィードバックを受信する電気構成要素を含むことができる。加えて、システム１６００は、電気構成要素１６０４−１６０８と関連づけられた機能を実行するための命令を保持するメモリ１６２０を含むことができる。メモリ１６２０の外部にあるとして示されるが、電気構成要素１６０４−１６０８の１つ以上がメモリ１６２０内に存在することができるということは理解されるべきである。
【００６８】
図１７において、装置１７０２は、複数のダウンリンクキャリアのためにアップリンクフィードバックを送信するために描写される。手段１７０４は、多数のダウンリンクキャリアを受信するために提供される。手段１７０６は、多数のダウンリンクキャリアのうちの少なくとも１つのためのフィードバックのために割り当てられたアップリンクキャリアを決定するために提供される。手段１７０８は、アップリンクキャリア上でフィードバックを送信するために提供される。
【００６９】
図１８において、装置１８０２は、複数のダウンリンクキャリアのためにアップリンクフィードバックを受信するために描写される。手段１８０４は、多数のダウンリンクキャリアを送信するために提供される。手段１８０６は、多数のダウンリンクキャリアのうちの少なくとも１つのためのフィードバックのために割り当てられたアップリンクキャリアを確立するために提供される。手段１８０８は、アップリンクキャリア上でフィードバックを受信するために提供される。
【００７０】
当業者は、ここで開示された態様に関連して記述された様々な例証となる論理ブロック、モジュール、回路、及びアルゴリズムステップが電子ハードウェア、コンピュータソフトウェア、または両方の組み合わせとして実現されることができるということを更に認識したであろう。ハードウェア及びソフトウェアのこの互換性を明瞭に例証するために、様々な例証となる構成要素、ブロック、モジュール、回路、及びステップは、それらの機能に関して一般に上述されている。このような機能性がハードウェアまたはソフトウェアとして実現されるかどうかは、総合体系上に課された設計制約及び特別なアプリケーションに依存する。当業者は、各々の特定のアプリケーションに対して変化する方法において記述された機能性を実現することができるが、このような実現の決定は、本開示の範囲からの逸脱を引き起こすとして解釈されるべきではない。
【００７１】
この出願において使用されるように、用語“構成要素”、“モジュール”、“システム”、及びそれらと同様のものは、コンピュータ関連のエンティティ、ハードウェアか、ハードウェア及びソフトウェアの組み合わせか、ソフトウェアかまたは実行中であるソフトウェアかを指すことが意図されている。例えば、構成要素は、プロセッサ上で動く処理、プロセッサ、オブジェクト、実行可能、実行のスレッド、プログラム、及び／またはコンピュータであることに制限されないが、これらであることができる。例証として、サーバ上で動くアプリケーション及びサーバは、構成要素であることができる。１つ以上の構成要素は、処理及び／または実行のスレッド内に存することができる。そして、構成要素は、１つのコンピュータ上で局部的であるかもしれない、及び／または２つ以上の構成要素の間で分配されるかもしれない。
【００７２】
語“典型的な”は、例、実例、または例証としての機能を果たすことを意味するためにここで使用される。“典型的な”としてここで記述された任意の態様または設計は、他の態様または設計を超えて好まれるまたは有利として必ずしも解釈されるべきではない。
【００７３】
様々な態様は、多くの構成要素、モジュール、及びそれらと同様なものを含むことができるシステムに関して示されるであろう。様々なシステムが付加的な構成要素、モジュール等を含むかもしれないということ及び／または図に関して議論された構成要素、モジュール等の全てを含まないかもしれないということは、理解及び認識されるべきである。これらのアプローチの組み合わせはまた、使用されることができる。ここで開示された様々な態様は、タッチスクリーンディスプレイ技術及び／またはマウス及びキーボードタイプのインタフェースを利用するデバイスを含む電気デバイス上で実行されることができる。このようなデバイスの例は、コンピュータ（デスクトップ及びモバイル）、スマートフォン、パーソナルデジタルアシスタント（ＰＤＡ）、及び有線及び無線の両方の他の電子デバイスを含む。
【００７４】
加えて、ここで開示された態様に関連して記述された様々な例証となる論理ブロック、モジュール、及び回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラム可能論理デバイス、離散的なゲートまたはトランジスタロジック、離散的なハードウェア構成要素、またはここで記述される機能を実行するように設計されたそれらの任意の組み合わせとともに実現または実行されることができる。汎用プロセッサは、マイクロプロセッサであることができるが、代案において、プロセッサは、任意の従来のプロセッサ、コントローラ、マイクロコントローラ、または状態機械であることができる。プロセッサはまた、コンピューティングデバイスの組み合わせ、例えば、ＤＳＰ及びマイクロプロセッサ、多数のマイクロプロセッサ、ＤＳＰコアと併せた１つ以上のマイクロプロセッサ、または任意の他のこのような構成の組み合わせとして実現されることができる。
【００７５】
なお、１つ以上のバージョンは、ソフトウェア、ファームウェア、ハードウェア、または開示された態様を実現するためにコンピュータを制御するためのそれらの任意の組み合わせを生産するために標準プログラミング及び／またはエンジニアリング技術を使用して方法、装置、または製品として実現されることができる。ここで使用されるような用語“製品”（または代替的に、“コンピュータプログラム製品”）は、任意のコンピュータ読み取り可能デバイス、キャリア、または媒体からアクセス可能なコンピュータプログラムを包含することが意図されている。例えば、コンピュータ読み取り可能媒体は、磁気記憶デバイス（例えば、ハードディスク、フロッピー（登録商標）ディスク、マグネットストライプ…）、光ディスク（例えば、コンパクトディスク（ＣＤ）、デジタルバーサタイルディスク（ＤＶＤ）…）、スマートカード、及びフラッシュメモリデバイス（例えば、カード、スティック）に制限されないがこれらを含むことができる。加えて、電子メールの送受信またはインターネットまたはローカルエリアネットワーク（ＬＡＮ）のようなネットワークへのアクセスにおいて使用されるもののようなコンピュータ読み取り可能な電子データを伝えるためにキャリア波が用いられることができるということは、認識されるべきである。当然ながら、当業者は、開示された態様の範囲から逸脱することなくこの構成に対して多くの変更がされるかもしれないということを認めるであろう
ここで開示された態様に関連して記述された方法またはアルゴリズムのステップは、ハードウェアにおいて、プロセッサによって実行されるソフトウェアモジュールにおいて、またはその２つの組み合わせにおいて直接的に具体化されることができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、またはその分野において既知の記憶媒体の任意の他の形式に存することができる。典型的な記憶媒体は、プロセッサが記憶媒体から情報を読み込み、記憶媒体に情報を書き込むことができるようにプロセッサに連結される。代案において、記憶媒体は、プロセッサに不可欠であるかもしれない。プロセッサ及び記憶媒体は、ＡＳＩＣに存するかもしれない。ＡＳＩＣは、ユーザ端末に存するかもしれない。代案において、プロセッサ及び記憶媒体は、ユーザ端末中の離散的な構成要素として存するかもしれない。
【００７６】
開示された態様の前の記述は、当業者に本開示を作成または使用することを可能にさせるために提供される。これらの態様に対する様々な変更は、当業者に容易に明白であろう。そしてここで定義される一般原理は、開示の精神または範囲から逸脱することなく他の実施形態に適用されることができる。したがって、本開示は、ここで示される実施形態に制限されることを意図されないが、ここで開示される原理及び新しい特徴と一致する最も広い範囲が与えられるべきである。
【００７７】
上に記述された典型的なシステムを考慮して、開示された手段に従って実現されることができる方法論は、いくつかのフロー図に関して記述されている。説明の簡単の目的のために、方法論は一連のブロックとして示され、記述されるが、いくつかのブロックが異なる順序で及び／またはここで描写及び記述されるものから他のブロックと同時に生じることができるように、要求された主題がブロックの順序によって制限されないということは、理解及び認識されるべきである。その上、全ての例証するブロックがここで記述された方法論を実現するために必要とされるとは限らないかもしれない。加えて、ここで開示される方法論がこのような方法論をコンピュータに輸送及び転送することを促進するために製品上に記憶されることが可能であるということは、更に認識されるべきである。ここで使用されるような用語製品は、任意のコンピュータ読み取り可能デバイス、キャリア、または媒体からアクセス可能なコンピュータプログラムを包含することが意図されている。
【００７８】
ここでの言及によって組み入れられると言われている、全体または部分における、任意の特許、出版物、または他の開示材料が、存在する定義、ステートメント、またはこの開示中に説明される他の開示材料と組み入れられた材料が矛盾しない範囲に対してのみここで組み入れられるということは、認識されるべきである。そのようなものとして、及び必要な範囲に対して、ここで明白に説明されるような開示は、言及によってここで組み入れられた任意の矛盾する材料に取って代わる。ここでの言及によって組み入れられると言われるが、存在する定義、ステートメント、またはここで説明される他の開示材料と矛盾する、任意の材料、またはそれらの部分は、その組み入れられた材料及び存在する開示材料の間で矛盾が生じない範囲に組み入れられるのみであろう。
以下に、本願出願の当初の特許請求の範囲に記載された発明を付記する。
［１］  複数のダウンリンクキャリアのためにアップリンクフィードバックを送信する方法であって、
次に続く行為を実現するためにコンピュータ読み取り可能記憶媒体上に記憶されたコンピュータ実行可能命令を実行するプロセッサを用いることと、
多数のダウンリンクキャリアを受信することと、
前記多数のダウンリンクキャリアのうちの少なくとも１つのためのフィードバックのために割り当てられたアップリンクキャリアを決定することと、
前記アップリンクキャリア上でフィードバックを送信することと
を備える方法。
［２］  ユーザ装置のための専用のシグナル伝達を受信することによって前記多数のダウンリンクキャリアのうちの選択された少なくとも１つとそれぞれペアにされている前記アップリンクキャリアであるとしてフィードバックのために割り当てられた前記アップリンクキャリアを決定することを更に備える、上記［１］に記載の方法。
［３］  一般にブロードキャストであるシステム情報を受信することによって前記多数のダウンリンクキャリアの選択された少なくとも１つとそれぞれペアにされている前記アップリンクキャリアであるとしてフィードバックのために割り当てられた前記アップリンクキャリアを決定することを更に備える、上記［１］に記載の方法。
［４］  ユーザ装置のための特定の情報を受信することによって前記多数のダウンリンクキャリアの選択された少なくとも１つとそれぞれペアにされている前記アップリンクキャリアを決定することと、
一般にブロードキャストであるシステム情報中のインジケータを検出することによる一般にブロードキャストである前記システム情報を受信することに基づいてまたは前記ユーザ装置のための専用のシグナル伝達に基づいてペアリングを使用するかどうかを決定することと
を更に備える、上記［１］に記載の方法。
［５］  ユーザ装置のための特定の情報を受信することによって前記多数のダウンリンクキャリアの選択された少なくとも１つとそれぞれペアにされている前記アップリンクキャリアを決定することと、
ユーザ装置のための専用のシグナル伝達を受信することによる一般にブロードキャストであるシステム情報を受信することに基づいてまたは前記ユーザ装置のための専用のシグナル伝達を受信することに基づいてペアリングを使用するかどうかを決定することと
を更に備える、上記［１］に記載の方法。
［６］  単一のキャリアによって１つのダウンリンクキャリアを受信することと、
前記アップリンクキャリア上でフィードバックを送信することと
を備える、上記［１］記載の方法。
［７］  前記多数のダウンリンクキャリアのためのフィードバックのために割り当てられている前記アップリンクキャリアを決定することを更に備える、上記［１］に記載の方法。
［８］  前記多数のダウンリンクキャリアの各々のための多対１の独立したフィードバックを前記アップリンクキャリア上で報告することを更に備える、上記［１］の方法。
［９］  前記多数のダウンリンクキャリアのための周波数においてフィードバックを連結させることを更に備える、上記［８］に記載の方法。
［１０］  前記多数のダウンリンクキャリアのための前記フィードバックによって時間内に循環する一部分を送信することを更に備える、上記［８］に記載の方法。
［１１］  前記多数のダウンリンクキャッリアのための前記フィードバックの周波数及び時間においてスタガされた一部分を送信することを更に備える、上記［８］に記載の方法。
［１２］  １つの帯域幅としてみなすことによって前記多数のダウンリンクキャリアのためのフィードバックを合同で決定することを更に備える、上記［１］に記載の方法。
［１３］  前記多数のダウンリンクキャリアのための連結された広帯域フィードバックレポートからなる広帯域フィードバックレポートを送信することと、
前記多数のダウンリンクキャリアのそれぞれ連結されたサブ帯域フィードバックレポートからなるサブ帯域フィードバックレポートを送信することと
を更に備える、上記［１］に記載の方法。
［１４］  第１の周期性を備えるダウンリンクキャリア全体にわたった広帯域フィードバック、第２の周期性を備える各々のダウンリンクキャリアのための広帯域フィードバック、及び第３の周期性を備える各々のダウンリンクキャリアのサブ帯域のためのサブ帯域フィードバックを報告することを更に備える、上記［１］記載の方法。
［１５］  ランクインジケータ（ＲＩ）と広帯域チャネル品質インジケータ／プリコーディングマトリックスインジケータ（ＣＱＩ／ＰＭＩ）及びサブ帯域ＣＱＩ報告の両方とを周期‘Ｐ’を伴うＣＱＩ報告インスタンスの周期的なセットを超えて構成することを更に備え、
キャリア全体にわたった広帯域ＣＱＩ／ＰＭＩレポートは、周期Ｈ＊Ｐを有し、｛０，Ｈ，２Ｈ，…｝によってインデックスをつけられた報告インスタンスのセット上で報告され、整数Ｊが帯域幅セグメントの数であり、整数Ｃがダウンリンクキャリアの数である場合、整数‘Ｈ’は、Ｈ＝Ｃ＊（Ｊ＊Ｋ＋１）＋１として定義され、
キャリア毎の広帯域ＣＱＩ／ＰＭＩレポートは、周期Ｈ＊Ｐを有し、Ｃｉが値｛１，…，Ｃ｝をとるキャリアインデックスである場合、｛Ｈ−Ｃｉ，２Ｈ−Ｃｉ，…｝によってインデックスをつけられた報告インスタンスの前記セット上で報告され、
ＤＬキャリアレポート全体にわたった２つの連続する広帯域ＣＱＩ／ＰＭＩ毎の間に、前記残存するＣ＊Ｊ＊Ｋ報告インスタンスは、帯域幅部分のＫの全周期上のサブ帯域ＣＱＩレポート及びキャリア毎の１つの広帯域ＣＱＩ／ＰＭＩレポートのための順序で使用される、
上記［１４］に記載の方法。
［１６］  整数Ｊは、ｉが値｛１，…，Ｃ｝をとる、それぞれＪ＝ｍｉｎ｛Ｊｉ｝またはＪ＝ｍａｘ｛Ｊｉ｝のようなキャリア帯域幅に依存する各々のＤＬキャリアのための帯域幅部分の最小値または最大値として決定される、上記［１５］に記載の方法。
［１７］  非同期的なフィードバック許可を受信することを更に備える、上記［１］に記載の方法。
［１８］  前記多数のダウンリンクキャリアのための連結されたフィードバックを共有データチャネル上で送信することを更に備える、上記［１７］に記載の方法。
［１９］  単一のキャリア周波数分割多元接続を前記アップリンクキャリア上で実行することを更に備える、上記［１］に記載の方法。
［２０］  フィードバックレポートフォーマットにおいてアップリンク制御チャネル上で周期的なフィードバックの第１のインスタンスを送信することと、
周期的なフィードバックの第２のインスタンスが前記アップリンク制御チャネル上でスケジュールに入れられたとき、サブフレーム中に割り当てられたデータ送信のためのアップリンク共有チャネルを決定することと、
前記フィードバックレポートフォーマットにおいて前記アップリンク共有チャネル上で周期的なフィードバックの前記第２のインスタンスを送信することと
を更に備える、上記［１９］に記載の方法。
［２１］  非周期的なフィードバックを送信するためにアップリンク許可中の要求を受信することと、
無線リソース制御によって与えられたメッセージフォーマット及びサイズに反応するレポートサイズを使用して非周期的なフィードバックレポートを送信することと
を更に備える、上記［２０］に記載の方法。
［２２］  前記アップリンクキャリア上で直交周波数分割多元接続を実行することと、
データ送信のための共有チャネル割り当てにかかわらずアップリンク制御チャネル上でフィードバックを送信することと
を更に備える、上記［１］に記載の方法。
［２３］  サブフレームの間にアップリンク共有チャネルのためのデータ送信許可を受信することと、
アップリンク制御チャネル上で前記データ送信許可を使用して前記フィードバックを送信することと
を更に備える、上記［１］に記載の方法。
［２４］  複数のダウンリンクキャリアのためにアップリンクフィードバックを送信するためのコンピュータプログラム製品であって、
コンピュータに多数のダウンリンクキャリアを受信させるための命令の第１のセットと、
前記コンピュータに前記多数のダウンリンクキャリアのうちの少なくとも１つのためのフィードバックのために割り当てられたアップリンクキャリアを決定させるための命令の第２のセットと、
前記コンピュータに前記アップリンクキャリア上でフィードバックを送信させるための命令の第３のセットと
を備える構成要素を少なくとも１つのプロセッサによって実行されるときに実現するコンピュータ実行可能命令を記憶する少なくとも１つのコンピュータ読み取り可能記憶媒体を備える、コンピュータプログラム製品。
［２５］  複数のダウンリンクキャリアのためにアップリンクフィードバックを送信する装置であって、
少なくとも１つのプロセッサと、
多数のダウンリンクキャリアを受信する手段と、
前記多数のダウンリンクキャリアのうちの少なくとも１つのためのフィードバックのために割り当てられたアップリンクキャリアを決定する手段と、
前記アップリンクキャリア上でフィードバックを送信する手段と
を備えた構成要素を前記少なくとも１つのプロセッサによって実行されるときに実現するコンピュータ実行可能命令を記憶する少なくとも１つのコンピュータ読み取り可能記憶媒体と
を備える、装置。
［２６］  複数のダウンリンクキャリアのためにアップリンクフィードバックを送信する装置であって、
多数のダウンリンクキャリアを受信する受信機と、
前記多数のダウンリンクキャリアのうちの少なくとも１つのためのフィードバックのために割り当てられたアップリンクキャリアを決定するコンピューティングプラットフォームと、
前記アップリンクキャリア上でフィードバックを送信する送信機と
を備える、装置。
［２７］  前記コンピューティングプラットフォームは更に、ユーザ装置のための専用のシグナル伝達を受信することによって前記多数のダウンリンクキャリアのうちの選択された少なくとも１つとそれぞれペアにされている前記アップリンクキャリアであるとしてフィードバックのために割り当てられた前記アップリンクキャリアを決定するためである、上記［２６］に記載の装置。
［２８］  前記コンピューティングプラットフォームは更に、一般にブロードキャストであるシステム情報を受信することによって前記多数のダウンリンクキャリアのうちの選択された少なくとも１つとそれぞれペアにされている前記アップリンクキャリアであるとしてフィードバックのために割り当てられている前記アップリンクキャリアを決定するためである、上記［２６］に記載の装置。
［２９］  前記コンピューティングプラットフォームは更に、ユーザ装置のための特定の情報を受信することによって前記多数のダウンリンクキャリアのうちの選択された少なくとも１つとそれぞれペアにされている前記アップリンクキャリアを決定するため及び一般にブロードキャストであるシステム情報中のインジケータを検出することによる一般にブロードキャストである前記システム情報を受信することに基づいてまたは前記ユーザ装置のための専用のシグナル伝達を受信することに基づいてペアリングを使用するかどうかを決定するためである、上記［２６］に記載の装置。
［３０］  前記コンピューティングプラットフォームは更に、ユーザ装置のための特定の情報を受信することによって前記多数のダウンリンクキャリアのうちの選択された少なくとも１つとそれぞれペアにされている前記アップリンクキャリアを決定するため及びユーザ装置のための専用のシグナル伝達を受信することによる一般にブロードキャストであるシステム情報を受信することに基づいてまたは前記ユーザ装置のための専用のシグナルデンタルを受信することに基づいてペアリングを使用するかどうかを決定するためである、上記［２６］に記載の装置。
［３１］  前記受信機は更に、単一のキャリアによって１つのダウンリンクキャリアを受信するためである、上記［２６］に記載の装置。
［３２］  前記コンピューティングプラットフォームは更に、前記多数のダウンリンクキャリアのためのフィードバックのために割り当てられている前記アップリンクキャリアを決定するためである、上記［２６］に記載の装置。
［３３］  前記送信機は更に、前記多数のダウンリンクキャリアの各々のための多対１の独立したフィードバックを前記アップリンクキャリア上で報告するためである、上記［２６］に記載の装置。
［３４］  前記コンピューティングプラットフォームは更に、前記多数のダウンリンクキャリアのための周波数においてフィードバックを連結させるためである、上記［３３］に記載の装置。
［３５］  前記送信機は更に、前記多数のダウンリンクキャリアのための前記フィードバックによって時間内に循環する一部分を送信するためである、上記［３３］に記載の装置。
［３６］  前記送信機は更に、前記ダウンリンクキャリアのための前記フィードバックの周波数及び時間においてスタガされた一部分を送信するためである、上記［３３］に記載の装置。
［３７］  前記コンピューティングプラットフォームは更に、１つの帯域幅としてみなすことによって前記多数のダウンリンクキャリアのためのフィードバックを合同で決定するためである、上記［２６］に記載の装置。
［３８］  前記送信機は更に、前記多数のダウンリンクキャリアのための連結された広帯域フィードバックレポートからなる広帯域フィードバックレポートを送信し、前記多数のダウンリンクキャリアのそれぞれ連結されたサブ帯域フィードバックレポートからなるサブ帯域フィードバックレポートを送信するためである、上記［２６］に記載の装置。
［３９］  前記送信機は更に、第１の周期性を備えるダウンリンクキャリア全体にわたった広帯域フィードバック、第２の周期性を備える各々のダウンリンクキャリアのための広帯域フィードバック、及び第３の周期性を備える各々のダウンリンクキャリアのサブ帯域のためのサブ帯域フィードバックを報告するためである、上記［２６］に記載の装置。
［４０］  前記コンピューティングプラットフォームは更に、ランクインジケータ（ＲＩ）と広帯域チャネル品質インジケータ／プリコーディングマトリックスインジケータ（ＣＱＩ／ＰＭＩ）及びサブ帯域ＣＱＩ報告の両方とを周期‘Ｐ’を伴うＣＱＩ報告インスタンスの周期的なセットを超えて構成するためであり、
キャリア全体にわたった広帯域ＣＱＩ／ＰＭＩレポートは、周期Ｈ＊Ｐを有し、｛０，Ｈ，２Ｈ，…｝によってインデックスをつけられた報告インスタンスのセット上で報告され、整数Ｊが帯域幅セグメントの数であり、整数Ｃがダウンリンクキャリアの数である場合、‘Ｈ’は、Ｈ＝Ｃ＊（Ｊ＊Ｋ＋１）＋１として定義され、
キャリア毎の広帯域ＣＱＩ／ＰＭＩレポートは、周期Ｈ＊Ｐを有し、Ｃｉが値｛１，…，Ｃ｝をとるキャリアインデックスである場合、｛Ｈ−Ｃｉ，２Ｈ−Ｃｉ，…｝によってインデックスをつけられた報告インスタンスの前記セット上で報告され、
ＤＬキャリアレポート全体にわたった２つの連続する広帯域ＣＱＩ／ＰＭＩ毎の間に、前記残存するＣ＊Ｊ＊Ｋ報告インスタンスは、帯域幅部分のＫの全周期上のサブ帯域ＣＱＩレポート及びキャリア毎の１つの広帯域ＣＱＩ／ＰＭＩレポートのための順序で使用される、
上記［３９］に記載の装置。
［４１］  整数Ｊは、ｉが値｛１，…，Ｃ｝をとる、それぞれＪ＝ｍｉｎ｛Ｊｉ｝またはＪ＝ｍａｘ｛Ｊｉ｝のようなキャリア帯域幅に依存する各々のＤＬキャリアのための帯域幅部分の最小値または最大値として決定される、上記［４０］に記載の装置。
［４２］  前記受信機は更に、非周期的なフィードバック許可を受信するためである、上記［２６］に記載の装置。
［４３］  前記送信機は更に、前記多数のダウンリンクキャリアのための連結されたフィードバックを共有データチャネル上で送信するためである、上記［４２］に記載の装置。
［４４］  前記コンピューティングプラットフォームは更に、単一のキャリア周波数分割多元接続を前記アップリンクキャリア上で実行するためである、上記［２６］に記載の装置。
［４５］  前記送信機は更に、フィードバックレポートフォーマットにおいてアップリンク制御チャネル上で周期的なフィードバックの第１のインスタンスを送信するためであり、
前記コンピューティングプラットフォームは更に、周期的なフィードバックの第２のインスタンスが前記アップリンク制御チャネル上でスケジュールに入れられたとき、サブフレーム中に割り当てられたデータ送信のためのアップリンク共有チャネルを決定するためであり、
前記送信機は更に、前記フィードバックレポートフォーマットにおいて前記アップリンク共有チャネル上で周期的なフィードバックの前記第２のインスタンスを送信するためである、
上記［４４］に記載の装置。
［４６］  前記受信機は更に、非周期的なフィードバックを送信するためにアップリンク許可中の要求を受信するためであり、
前記送信機は更に、無線リソース制御によって与えられたメッセージフォーマット及びサイズに反応するレポートサイズを使用して非周期的なフィードバックレポートを送信するためである、
上記［４５］に記載の装置。
［４７］  前記コンピューティングプラットフォームは更に、直交周波数分割多元接続を前記アップリンクキャリア上で実行するためであり、
前記送信機は更に、データ送信のための共有チャネル割り当てにかかわらずアップリンク制御チャネル上でフィードバックを送信するためである、
上記［２６］に記載の装置。
［４８］  前記受信機は更に、サブフレームの間にアップリンク共有チャネルのためのデータ送信許可を受信するためであり、
前記送信機は更に、アップリンク制御チャネル上で前記データ送信許可を使用して前記フィードバックを送信するためである
上記［２６］に記載の装置。
［４９］  複数のダウンリンクキャッリアのためにアップリンクフィードバックを受信する方法であって、
次に続く行為を実現するためにコンピュータ読み取り可能記憶媒体上に記憶されたコンピュータ実行可能命令を実行するプロセッサを用いることと、
多数のダウンリンクキャリアを送信することと、
前記多数のダウンリンクキャリアのうちの少なくとも１つのためのフィードバックのために割り当てられたアップリンクキャリアを確立することと、
前記アップリンクキャリア上でフィードバックを受信することと
を備える、方法。
［５０］  専用のシグナル伝達をユーザ装置に送信することによって前記多数のダウンリンクキャリアのうちの選択された少なくとも１つとそれぞれペアにされている前記アップリンクキャリアであるとしてフィードバックのために割り当てられた前記アップリンクキャリアを確立することを更に備える、上記［４９］に記載の方法。
［５１］  一般にブロードキャストであるシステム情報を送信することによって前記多数のダウンリンクキャリアのうちの選択された少なくとも１つとそれぞれペアにされている前記アップリンクキャリアであるとしてフィードバックのために割り当てられた前記アップリンクキャリアを確立することを更に備える、上記［４９］に記載の方法。
［５２］  特定の情報をユーザ装置に送信することによって前記多数のダウンリンクキャリアのうちの選択された少なくとも１つとそれぞれペアにされている前記アップリンクキャリアを確立することと、
選択されたユーザ装置のためのペアリングが、一般にブロードキャストである前記システム情報中のインジケータを送信することによる一般にブロードキャストであるシステム情報を送信することに基づいているかまたはユーザ装置のための専用のシグナル伝達を送信することに基づいているかを確立することと
を更に備える、上記［４９］に記載の方法。
［５３］  ユーザ装置のための特定の情報を送信することによって前記多数のダウンリンクキャリアのうちの選択された少なくとも１つとそれぞれペアにされている前記アップリンクキャリアを確立することと、
専用のシグナル伝達をユーザ装置に送信することによる一般にブロードキャストであるシステム情報を送信することに基づいてまたは前記ユーザ装置のための専用のシグナル伝達を送信することに基づいてペアリングを使用するかどうかを確立することと
を更に備える、上記［４９］に記載の方法。
［５４］  単一のキャリアによって１つのダウンリンクキャリアを送信することと、
前記アップリンクキャリア上でフィードバックを受信することと
を更に備える、上記［４９］に記載の方法。
［５５］  前記多数のダウンリンクキャリアのためのフィードバックのために割り当てられている前記アップリンクキャリアを確立することを更に備える、上記［４９］に記載の方法。
［５６］  前記多数のダウンリンクキャリアの各々のための多対１の独立したフィードバックの報告を前記アップリンクキャリア上で受信することを更に備える、上記［４９］に記載の方法。
［５７］  前記多数のダウンリンクキャリアのための周波数において連結されたフィードバックを受信することと更に備える、上記［５６］に記載の方法。
［５８］  前記多数のダウンリンクキャリアのための前記フィードバックによって時間内に循環する一部分を受信することを更に備える、上記［５６］に記載の方法。
［５９］  前記多数のダウンリンクキャリアのための前記フィードバックの周波数及び時間においてスタガされた一部分を受信することを更に備える、上記［５６］に記載の方法。
［６０］  １つの帯域幅としてみなすことによって前記多数のダウンリンクキャリアのためのフィードバックを合同で決定することを更に備える、上記［５６］に記載の方法。
［６１］  前記多数のダウンリンクキャリアのための連結された広帯域フィードバックレポートからなる広帯域フィードバックレポートを受信することと、
前記多数のダウンリンクキャリアのそれぞれ連結されたサブ帯域フィードバックレポートからなるサブ帯域フィードバックレポートを受信することと
を更に備える、上記［５６］に記載の方法。
［６２］  第１の周期性を備えるダウンリンクキャリア全体にわたった広帯域フィードバック、第２の周期性を備える各々のダウンリンクキャリアのための広帯域フィードバック、及び第３の周期性を備える各々のダウンリンクキャリアのサブ帯域のためのサブ帯域フィードバックの報告を受信することを更に備える、上記［４９］に記載の方法。
［６３］  ランクインジケータ（ＲＩ）と広帯域チャネル品質インジケータ／プリコーディングマトリックスインジケータ（ＣＱＩ／ＰＭＩ）及びサブ帯域ＣＱＩ報告の両方とを周期‘Ｐ’を伴うＣＱＩ報告インスタンスの周期的なセットを超えて構成することを更に備え、
キャリア全体にわたった広帯域ＣＱＩ／ＰＭＩレポートは、周期Ｈ＊Ｐを有し、｛０，Ｈ，２Ｈ，…｝によってインデックスをつけられた報告インスタンスのセット上で報告され、整数Ｊが帯域幅セグメントの数であり、整数Ｃがダウンリンクキャリアの数である場合、整数‘Ｈ’は、Ｈ＝Ｃ＊（Ｊ＊Ｋ＋１）＋１として定義され、
キャリア毎の広帯域ＣＱＩ／ＰＭＩレポートは、周期Ｈ＊Ｐを有し、Ｃｉが値｛１，…，Ｃ｝をとるキャリアインデックスである場合、｛Ｈ−Ｃｉ，２Ｈ−Ｃｉ，…｝によってインデックスをつけられた報告インスタンスの前記セット上で報告され、
ＤＬキャリアレポート全体にわたった２つの連続する広帯域ＣＱＩ／ＰＭＩ毎の間に、前記残存するＣ＊Ｊ＊Ｋ報告インスタンスは、帯域幅部分のＫの全周期上のサブ帯域ＣＱＩレポート及びキャリア毎の１つの広帯域ＣＱＩ／ＰＭＩレポートのための順序で使用される、
上記［６２］に記載の方法。
［６４］  整数Ｊは、ｉが値｛１，…，Ｃ｝をとる、Ｊ＝ｍａｘ｛Ｊｉ｝のようなキャリア帯域幅に依存する各々のＤＬキャリアのための帯域幅部分の最大値として決定される、上記［６３］に記載の方法。
［６５］  非周期的なフィードバック許可を送信することを更に備える、上記［４９］に記載の方法。
［６６］  前記多数のダウンリンクキャリアのための連結されたフィードバックを共有データチャネル上で受信することを更に備える、上記［６５］に記載の方法。
［６７］  単一のキャリア周波数分割多元接続を前記アップリンクキャリア上で実行することを更に備える、上記［４９］に記載の方法。
［６８］  フィードバックレポートフォーマットにおいてアップリンク制御チャネル上で周期的なフィードバックの第１のインスタンスを受信することと、
周期的なフィードバックの第２のインスタンスが前記アップリンク制御チャネル上でスケジュールに入れられたとき、サブフレーム中に割り当てられたデータ送信のためのアップリンク共有チャネルを確立することと、
前記フィードバックレポートフォーマットにおいて前記アップリンク共有チャネル上で周期的なフィードバックの前記第２のインスタンスを受信することと
を備える、上記［６７］に記載の方法。
［６９］  非周期的なフィードバックを送信するためにアップリンク許可中の要求を送信することと、
無線リソース制御によって与えられたメッセージフォーマット及びサイズに反応するレポートサイズを使用して非周期的なフィードバックレポートを受信することと
を更に備える、上記［６８］に記載の方法。
［７０］  前記アップリンクキャリア上で直交周波数分割多元接続を実行することと、
データ送信のための共有チャネル割り当てにかかわらずアップリンク制御チャネル上でフィードバックを受信することと
を更に備える、上記［４９］に記載の方法。
［７１］  サブフレームの間にアップリンク共有チャネルのためのデータ送信許可を送信することと、
アップリンク制御チャネル上で前記データ送信許可を使用して前記フィードバックを受信することと
を更に備える、上記［４９］に記載の方法。
［７２］  複数のダウンリンクキャリアのためにアップリンクフィードバックを受信するためのコンピュータプログラム製品であって、
コンピュータに多数のダウンリンクキャリアを送信させるための命令の第１のセットと、
前記コンピュータに前記多数のダウンリンクキャリアのうちの少なくとも１つのためのフィードバックのために割り当てられたアップリンクキャリアを確立させるための命令の第２のセットと、
前記コンピュータに前記アップリンクキャリア上でフィードバックを受信させるための命令の第３のセットと
を備える構成要素を少なくとも１つのプロセッサによって実行されるときに実現するコンピュータ実行可能命令を記憶する少なくとも１つのコンピュータ読み取り可能記憶媒体を備える、コンピュータプログラム製品。
［７３］  複数のダウンリンクキャリアのためにアップリンクフィードバックを受信する装置であって、
少なくとも１つのプロセッサと、
多数のダウンリンクキャリアを送信する手段と、
前記多数のダウンリンクキャリアのうちの少なくとも１つのためのフィードバックのために割り当てられたアップリンクキャリアを確立する手段と、
前記アップリンクキャリア上でフィードバックを受信する手段と
を備える構成要素を前記少なくとも１つのプロセッサによって実行されるときに実現するコンピュータ実行可能命令を記憶する少なくとも１つのコンピュータ読み取り可能記憶媒体と
を備える、装置。
［７４］  複数のダウンリンクキャリアのためにアップリンクフィードバックを受信する装置であって、
多数のダウンリンクキャリアを送信する送信機と、
前記多数のダウンリンクキャリアのうちの少なくとも１つのためのフィードバックのために割り当てられたアップリンクキャリアを確立するコンピューティングプラットフォームと、
前記アップリンクキャリア上でフィードバックを受信する受信機と
を備える、装置。
［７５］  前記コンピューティングプラットフォームは更に、専用のシグナル伝達をユーザ装置に送信することによって前記多数のダウンリンクキャリアのうちの選択された少なくとも１つとそれぞれペアにされている前記アップリンクキャリアであるとしてフィードバックのために割り当てられた前記アップリンクキャリアを確立するためである、上記［７４］に記載の装置。
［７６］  前記コンピューティングプラットフォームは更に、前記送信機が更に一般にブロードキャストであるシステム情報を送信するためであることによって前記多数のダウンリンクキャリアのうちの選択された少なくとも１つとそれぞれペアにされている前記アップリンクキャリアであるとしてフィードバックのために割り当てられた前記アップリンクキャリアを確立するためである、上記［７４］に記載の装置。
［７７］  前記コンピューティングプラットフォームは更に、特定の情報をユーザ装置に送信することによって前記多数のダウンリンクキャリアのうちの選択された少なくとも１つとそれぞれペアにされている前記アップリンクキャリアを確立するため、及び選択されたユーザ装置のためのペアリングが一般にブロードキャストであるシステム情報中のインジケータを送信することによる一般にブロードキャストであるシステム情報を送信することに基づいているかまたは前記ユーザ装置のための専用のシグナル伝達を送信することに基づいているかを確立するためである、上記［７４］に記載の装置。
［７８］  前記コンピューティングプラットフォームは更に、ユーザ装置のための特定の情報を送信することによって前記多数のダウンリンクキャリアのうちの選択された少なくとも１つとそれぞれペアにされている前記アップリンクキャリアを確立するため、及び専用のシグナル伝達をユーザ装置に送信することによる一般にブロードキャストであるシステム情報を送信することに基づいてまたは前記ユーザ装置のための専用のシグナル伝達を送信することに基づいてペアリングを使用するかどうかを確立するためである、上記［７４］に記載の装置。
［７９］  前記送信機は更に、単一のキャリアによって１つのダウンリンクキャリアを送信するためである、上記［７４］に記載の装置。
［８０］  前記コンピューティングプラットフォームは更に、前記多数のダウンリンクキャリアのためのフィードバックのために割り当てられている前記アップリンクキャリアを確立するためである、上記［７４］に記載の装置。
［８１］  前記受信機は更に、前記多数のダウンリンクキャリアの各々のための多対１の独立したフィードバックの報告を前記アップリンクキャリア上で受信するためである、上記［７４］に記載の装置。
［８２］  前記受信機は更に、前記多数のダウンリンクキャリアのための周波数において連結されたフィードバックを受信するためである、上記［８１］に記載の装置。
［８３］  前記受信機は更に、前記多数のダウンリンクキャリアのための前記フィードバックによって時間内に循環する一部分を受信するためである、上記［８１］に記載の装置。
［８４］  前記受信機は更に、前記多数のダウンリンクキャリアのための前記フィードバックの周波数及び時間においてスタガされた一部分を受信するためである、上記［８１］に記載の装置。
［８５］  前記コンピューティングプラットフォームは更に、１つの帯域幅としてみなすことによって前記多数のダウンリンクキャリアのためのフィードバックを合同で決定するためである、上記［８１］に記載の装置。
［８６］  前記受信機は更に、前記多数のダウンリンクキャリアのための連結された広帯域フィードバックレポートからなる広帯域フィードバックレポートを受信するため、及び前記多数のダウンリンクキャリアのそれぞれ連結されたサブ帯域フィードバックレポートからなるサブ帯域フィードバックレポートを受信するためである、上記［８１］に記載の装置。
［８７］  前記受信機は更に、第１の周期性を備えるダウンリンクキャリア全体にわたった広帯域フィードバック、第２の周期性を備える各々のダウンリンクキャリアのための広帯域フィードバック、及び第３の周期性を備える各々のダウンリンクキャリアのサブ帯域のためのサブ帯域フィードバックの報告を受信するためである、上記［７４］に記載の装置。
［８８］  前記コンピューティングプラットフォームは更に、ランクインジケータ（ＲＩ）と広帯域チャネル品質インジケータ／プリコーディングマトリックスインジケータ（ＣＱＩ／ＰＭＩ）及びサブ帯域ＣＱＩ報告の両方とを周期‘Ｐ’を伴うＣＱＩ報告インスタンスの周期的なセットを超えて構成するためであり、
キャリア全体にわたった広帯域ＣＱＩ／ＰＭＩレポートは、周期Ｈ＊Ｐを有し、｛０，Ｈ，２Ｈ，…｝によってインデックスをつけられた報告インスタンスのセット上で報告され、整数Ｊが帯域幅セグメントの数であり、整数Ｃがダウンリンクキャリアの数である場合、‘Ｈ’は、Ｈ＝Ｃ＊（Ｊ＊Ｋ＋１）＋１として定義され、
キャリア毎の広帯域ＣＱＩ／ＰＭＩレポートは、周期Ｈ＊Ｐを有し、Ｃｉが値｛１，…，Ｃ｝をとるキャリアインデックスである場合、｛Ｈ−Ｃｉ，２Ｈ−Ｃｉ，…｝によってインデックスをつけられた報告インスタンスの前記セット上で報告され、
ＤＬキャリアレポート全体にわたった２つの連続する広帯域ＣＱＩ／ＰＭＩ毎の間に、前記残存するＣ＊Ｊ＊Ｋ報告インスタンスは、帯域幅部分のＫの全周期上のサブ帯域ＣＱＩレポート及びキャリア毎の１つの広帯域ＣＱＩ／ＰＭＩレポートのための順序で使用される、
上記［８７］に記載の装置。
［８９］  整数Ｊは、ｉが値｛１，…，Ｃ｝をとる、Ｊ＝ｍａｘ｛Ｊｉ｝のようなキャリア帯域幅に依存する各々のＤＬキャリアのための帯域幅部分の最大値として決定される、上記［８８］に記載の装置。
［９０］  前記送信機は更に、非周期的なフィードバック許可を送信するためである、上記［７４］に記載の装置。
［９１］  前記受信機は更に、前記多数のダウンリンクキャリアのための連結されたフィードバックを共有データチャネル上で受信するためである、上記［９０］に記載の装置。
［９２］  前記コンピューティングプラットフォームは更に、単一のキャリア周波数分割多元接続を前記アップリンクキャリア上で実行するためである、上記［７４］に記載の装置。
［９３］  前記受信機は更に、フィードバックレポートフォーマットにおいてアップリンク制御チャネル上で周期的なフィードバックの第１のインスタンスを受信するためであり、
前記コンピューティングプラットフォームは更に、周期的なフィードバックの第２のインスタンスが前記アップリンク制御チャネル上でスケジュールに入れられたとき、サブフレーム中に割り当てられたデータ送信のためのアップリンク共有チャネルを確立するためであり、
前記受信機は更に、前記フィードバックレポートフォーマットにおいて前記アップリンク共有チャネル上で周期的なフィードバックの前記第２のインスタンスを受信するためである、
上記［９２］に記載の装置。
［９４］  前記送信機は更に、非周期的なフィードバックを送信するためにアップリンク許可中の要求を送信するためであり、
前記受信機は更に、無線リソース制御によって与えられたメッセージフォーマット及びサイズに反応するレポートサイズを使用して非周期的なフィードバックレポートを受信するためである、
上記［９３］に記載の装置。
［９５］  前記受信機は更に、直交周波数分割多元接続を前記アップリンクキャリア上で実行するため、及びデータ送信のための共有チャネル割り当てにかかわらずアップリンク制御チャネル上でフィードバックを受信するためである、上記［７４］に記載の装置。
［９６］  前記送信機は更に、サブフレームの間にアップリンク共有チャネルのためのデータ伝送許可を送信するためであり、
前記受信機は更に、アップリンク制御チャネル上で前記データ送信を使用して前記フィードバックを受信するためである、
上記［７４］に記載の装置。
【図１】
0005763132.tif 000002
【図２】
0005763132.tif 000003
【図３】
0005763132.tif 000004
【図４】
0005763132.tif 000005
【図５】
0005763132.tif 000006
【図６】
0005763132.tif 000007
【図７】
0005763132.tif 000008
【図８】
0005763132.tif 000009
【図９】
0005763132.tif 000010
【図１０】
0005763132.tif 000011
【図１１】
0005763132.tif 000012
【図１２】
0005763132.tif 000013
【図１３】
0005763132.tif 000014
【図１４】
0005763132.tif 000015
【図１５】
0005763132.tif 000016
【図１６】
0005763132.tif 000017
【図１７】
0005763132.tif 000018
【図１８】
0005763132.tif 000019